(57)【要約】装着された光ディスクに対する記録再生処理までの待機時間を短縮する。  光ディスクドライブ（１１０）に接続されたドライブ制御器（１２３）と，光ディスク（１２０）の使用条件を格納するディスク情報格納バッファ（１０２）と，を備え，使用しようとする光ディスク（１２０）の識別情報に対応する使用条件が，ディスク情報格納バッファ（１０２）に格納されているとき，ドライブ制御器（１２３）は，光ディスクドライブ（１１０）が第１の調整処理を行うよう光ディスクドライブ（１１０）に指示を出し，使用しようとする光ディスク（１２０）の識別情報に対応する使用条件が，前記ディスク情報格納バッファ（１０２）に格納されていないとき、ドライブ制御器（１２３）は，光ディスクドライブ（１１０）が第２の調整処理を行うよう光ディスクドライブ（１１０）に指示を出す記録再生装置。
2004109665.tif 000002
【特許請求の範囲】
【請求項１】
識別情報を有する光ディスクを収容し、前記光ディスクの起動、記録および再生を制御する光ディスクドライブに接続され、前記光ディスクドライブの制御を行うドライブ制御器と、
前記ドライブ制御器に接続され、光ディスクの識別情報に対応する使用条件を格納するディスク情報格納バッファと、を備え、
使用しようとする光ディスクの識別情報に対応する使用条件が、前記ディスク情報格納バッファに格納されている場合、前記ドライブ制御器は、前記光ディスクドライブが前記使用条件を利用して第１の調整処理を行うよう前記光ディスクドライブに指示を出し、
前記使用しようとする光ディスクの識別情報に対応する使用条件が、前記ディスク情報格納バッファに格納されていない場合、前記ドライブ制御器は、前記光ディスクドライブが前記使用条件を利用せずに第２の調整処理を行うよう前記光ディスクドライブに指示を出す、記録再生装置。
【請求項２】
前記第１の調整処理または前記第２の調整処理の結果得られた使用条件が、前記光ディスクドライブから前記ディスク情報格納バッファに格納される、請求の範囲第１項に記載の記録再生装置。
【請求項３】
前記光ディスクの使用条件は、光ディスクに記録または光ディスクの再生を行う際に利用する情報であり、前記調整処理は、前記光ディスクに最適な記録または再生を行うための前記光ディスクの使用条件を求める処理である、請求の範囲第１項に記載の記録再生装置。
【請求項４】
前記記録または再生を行う際に利用する情報は、レーザーのパワー、レーザーのパルス幅、およびサーボ条件の少なくともいずれかに関する情報である、請求の範囲第３項に記載の記録再生装置。
【請求項５】
前記光ディスクの識別情報は個別のＩＤ、メーカー名、および型番の少なくともいずれかを有し、前記第１の調整処理は、第１の部分調整処理、および第２の部分調整処理を有しており、
前記光ディスクのＩＤが前記ディスク情報格納バッファに格納されている場合は、前記ドライブ制御器は、前記光ディスクドライブが前記ＩＤに対応する光ディスクの使用条件を利用して第１の部分調整処理を行うよう前記光ディスクドライブに指示を出し、
前記光ディスクのＩＤが前記ディスク情報格納バッファに格納されておらず、前記光ディスクのメーカー名および／または型番が前記光ディスク情報格納バッファに格納されている場合は、前記ドライブ制御器は、前記光ディスクドライブが前記光ディスクのメーカーおよび／または型番に対応する光ディスクの使用条件を利用して第２の部分調整処理を行うよう前記光ディスクドライブに指示を出し、
前記第１の部分調整処理または前記第２の部分調整処理の結果得られた使用条件が、前記光ディスクドライブから前記ディスク情報格納バッファに格納される、請求の範囲第２項に記載の記録再生装置。
【請求項６】
さらに、前記ドライブ制御器は、光ディスクの識別情報とその識別情報に対応する使用条件とが格納されているディスク情報格納装置に電気通信回線を介してアクセスすることができ、
前記使用しようとする光ディスクの識別情報に対応する使用条件が、前記ディスク情報格納バッファに格納されていない場合、前記ドライブ制御器は、前記第２の調整処理を行う代わりに、前記電気通信回線を介して、前記ディスク情報格納装置から、前記識別情報に対応する使用条件を取得し、前記光ディスクドライブが前記使用条件を利用して前記第１の調整処理を行うよう前記光ディスクドライブに指示を出す、請求の範囲第３項に記載の記録再生装置。
【請求項７】
前記ディスク情報格納装置には、記録再生装置に関する、メーカー名、型式、ソフトウェア情報、ならびに前記光ディスクドライブに関するハードウェア情報、およびソフトウェア情報、の少なくともいずれかに対応して、光ディスクの種別および／またはメーカー毎に、前記使用条件が格納されている、請求の範囲第６項に記載の記録再生装置。
【請求項８】
前記ディスク情報格納装置に格納されている情報は、電気通信回線を介して更新可能である、請求の範囲第７項に記載の記録再生装置。
【請求項９】
前記第１の調整処理または前記第２の調整処理には、前記使用しようとする光ディスクの温度またはその周囲温度に応じて、記録または再生するための処理を最適化する処理が含まれる、請求の範囲第３項に記載の記録再生装置。
【請求項１０】
光ディスクドライブにおいて使用しようとする光ディスクの識別情報に対応する使用条件が、前記光ディスクドライブに接続される光ディスクレコーダのディスク情報格納バッファに格納されている場合、前記使用条件を利用して第１の調整処理を行うよう指示を出す工程と、
前記使用しようとする光ディスクの識別情報に対応する使用条件が、前記ディスク情報格納バッファに格納されていない場合、前記使用条件を利用せずに第２の調整処理を行うよう指示を出す工程と、を備える記録再生方法。
【請求項１１】
前記第１の調整処理または前記第２の調整処理の結果得られた使用条件を、前記ディスク情報格納バッファに格納する工程と、を備える、請求の範囲第１０項に記載の記録再生方法。
【請求項１２】
請求の範囲第１項に記載の記録再生装置の、ドライブ制御器としてコンピュータを機能させるためのプログラム。
【請求項１３】
請求の範囲第１２項に記載のプログラムを担持した記録媒体であって、コンピュータにより処理可能な記録媒体。
【請求項１４】
識別情報を有する光ディスクを収容し、前記光ディスクの起動、記録および再生を制御する光ディスクドライブと、
前記光ディスクドライブの制御を行うドライブ制御器と、
前記ドライブ制御器に接続され、光ディスクの識別情報に対応する使用条件を格納するディスク情報格納バッファと、を備え、
使用しようとする光ディスクの識別情報に対応する使用条件が、前記ディスク情報格納バッファに格納されている場合、前記ドライブ制御器は、前記光ディスクドライブが前記使用条件を利用して第１の調整処理を行うよう前記光ディスクドライブに指示を出し、
前記使用しようとする光ディスクの識別情報に対応する使用条件が前記ディスク情報格納バッファに格納されていない場合、前記ドライブ制御器は、前記光ディスクドライブが前記使用条件を利用せずに第２の調整処理を行うよう指示を出す、記録再生システム。
【請求項１５】
前記第１の調整処理の結果または前記第２の調整処理の結果得られた使用条件が、前記光ディスクドライブから前記ディスク情報格納バッファに格納される、請求の範囲第１４項に記載の記録再生システム。
【請求項１６】
電気通信回線を介してアクセスされることができ、光ディスクの識別情報とその識別情報に対応する使用条件とが格納されているディスク情報格納装置をさらに備える、請求の範囲第１４項に記載の記録再生システム。
【発明の詳細な説明】
【技術分野】  本発明は、光ディスクに記録再生を行う記録再生装置、記録再生方法、記録再生システム、そのプログラム、および記録媒体に関する。
【背景技術】  近年、光ディスクに記録再生を行う装置が開発、販売されている。例えば、図１４に示すように光ディスクに映像や音声などのＡＶデータを記録する光ディスクレコーダ１０００がある。この光ディスクレコーダ１０００が所有する機能としては、ＡＶデータの入出力制御機能、アナログのＡＶデータを扱う場合はデジタルデータへの変復調を行う機能、装着された光ディスクに適したデータ形式にＡＶデータを加工する機能、及び、光ディスクへの記録再生を行う機能に大別される。このうち、光ディスクに記録再生をする機能の担当する装置として、光ディスクドライブ１１０が利用される。
この光ディスクドライブ１１０では、装着された光ディスクに対してデータの記録再生を適切に行うため、レーザーのパワーの調整が行われている（例えば、特開平０４−１４１８２７号公報参照。）。すなわち、使用しようとする光ディスクの評価トラックにレーザー光を徐々に変化させながら信号を記録し、記録された信号の良否を判定し、判定結果が良好な場合は、判定が良である範囲で最も低いパワーを決定することにより調整を行うというものである。
しかし、近年の光ディスクの大容量化、記録密度の高密度化に伴い、記録再生処理条件の最適値を求める処理（以下、調整処理という。）は、上記のレーザーのパワーの調整のみならず他の様々な記録再生に関わる条件（以下、記録再生条件という。）に対しても行うことが必要になってきた。その結果、調整処理全体の時間が長くなり、光ディスクドライブ１１０に光ディスクが装着されてから記録処理、あるいは、再生処理を行うことが可能になるまでの時間（以下、起動時間という。）が長くなるという問題点があった。
また、近年、光ディスクの需要が高まるにつれ、多くの光ディスク製造メーカが開発・販売に参入するようになり、光ディスクの製造メーカの違い、或いは、同一メーカでも一枚一枚の間で記録再生に関する特性が異なる光ディスクが市場に出回るようになってきた。一方、光ディスクレコーダに内蔵されている光ディスクドライブにおいては、当該光ディスクレコーダが出荷されるまでに発売された光ディスクに対して調整処理が適切に行われるように、調整処理のアルゴリズムを最適化する、或いは、一般的な記録再生条件を光ディスクドライブ１１０に予め保存しておくことで調整処理時間の短縮と調整処理の成功する可能性の向上が図られている。しかしながら、当該光ディスクレコーダが出荷された後に発売された光ディスクは当該光ディスクレコーダには対応していないため、調整処理に時間がかかり起動時間が長くなる、或いは、調整処理に失敗して記録処理や再生処理が行われなくなるという問題点もあった。
これらの問題を解決するため、上記調整処理の結果を光ディスクドライブ１１０のメモリに格納しておくことが考えられる。
しかし、光ディスクドライブ１１０に上記調整処理の結果を格納するためのメモリを増設することは、光ディスクドライブ１１０の高コスト化をもたらす。
さらに、当該光ディスクレコーダ１０００が出荷されるまでに発売された光ディスクに対しても、発売されるディスクの種類が増えるにつれ、光ディスクドライブ１１０に予め保存しておく一般的な記録再生条件の容量が大きくなってきていた。一般的に光ディスクドライブ１１０に付属のメモリは、コストダウン等を目的に保存容量が小さいこともあり、市場にある全ての光ディスクに関する一般的な記録再生条件を全て光ディスクドライブ１１０に保存しておくことが困難であるという問題点もあった。
【発明の開示】
本発明は、上記問題点に鑑みてなされたものであり、光ディスクドライブのメモリ容量を増加することなく、起動時間の短縮化を可能にする記録再生装置、及び、記録再生方法、記録再生システム、プログラム、記録媒体を提供することを目的とする。
第１の本発明は、識別情報を有する光ディスクを収容し、前記光ディスクの起動、記録および再生を制御する光ディスクドライブに接続され、前記光ディスクドライブの制御を行うドライブ制御器と、
前記ドライブ制御器に接続され、光ディスクの識別情報に対応する使用条件を格納するディスク情報格納バッファと、を備え、
使用しようとする光ディスクの識別情報に対応する使用条件が、前記ディスク情報格納バッファに格納されている場合、前記ドライブ制御器は、前記光ディスクドライブが前記使用条件を利用して第１の調整処理を行うよう前記光ディスクドライブに指示を出し、
前記使用しようとする光ディスクの識別情報に対応する使用条件が、前記ディスク情報格納バッファに格納されていない場合、前記ドライブ制御器は、前記光ディスクドライブが前記使用条件を利用せずに第２の調整処理を行うよう前記光ディスクドライブに指示を出す、記録再生装置である。
第２の本発明は、前記第１の調整処理または前記第２の調整処理の結果得られた使用条件が、前記光ディスクドライブから前記ディスク情報格納バッファに格納される、第１の本発明の記録再生装置である。
第３の本発明は、前記光ディスクの使用条件は、光ディスクに記録または光ディスクの再生を行う際に利用する情報であり、前記調整処理は、前記光ディスクに最適な記録または再生を行うための前記光ディスクの使用条件を求める処理である、第１の本発明の記録再生装置である。
第４の本発明は、前記記録または再生を行う際に利用する情報は、レーザーのパワー、レーザーのパルス幅、およびサーボ条件の少なくともいずれかに関する情報である、第３の本発明の記録再生装置である。
第５の本発明は、前記光ディスクの識別情報は個別のＩＤ、メーカー名、および型番の少なくともいずれかを有し、前記第１の調整処理は、第１の部分調整処理、および第２の部分調整処理を有しており、
前記光ディスクのＩＤが前記ディスク情報格納バッファに格納されている場合は、前記ドライブ制御器は、前記光ディスクドライブが前記ＩＤに対応する光ディスクの使用条件を利用して第１の部分調整処理を行うよう前記光ディスクドライブに指示を出し、
前記光ディスクのＩＤが前記ディスク情報格納バッファに格納されておらず、前記光ディスクのメーカー名および／または型番が前記光ディスク情報格納バッファに格納されている場合は、前記ドライブ制御器は、前記光ディスクドライブが前記光ディスクのメーカーおよび／または型番に対応する光ディスクの使用条件を利用して第２の部分調整処理を行うよう前記光ディスクドライブに指示を出し、
前記第１の部分調整処理または前記第２の部分調整処理の結果得られた使用条件が、前記光ディスクドライブから前記ディスク情報格納バッファに格納される、第２の本発明の記録再生装置である。
第６の本発明は、さらに、前記ドライブ制御器は、光ディスクの識別情報とその識別情報に対応する使用条件とが格納されているディスク情報格納装置に電気通信回線を介してアクセスすることができ、
前記使用しようとする光ディスクの識別情報に対応する使用条件が、前記ディスク情報格納バッファに格納されていない場合、前記ドライブ制御器は、前記第２の調整処理を行う代わりに、前記電気通信回線を介して、前記ディスク情報格納装置から、前記識別情報に対応する使用条件を取得し、前記光ディスクドライブが前記使用条件を利用して前記第１の調整処理を行うよう前記光ディスクドライブに指示を出す、第３の本発明の記録再生装置である。
第７の本発明は、前記ディスク情報格納装置には、記録再生装置に関する、メーカー名、型式、ソフトウェア情報、ならびに前記光ディスクドライブに関するハードウェア情報、およびソフトウェア情報、の少なくともいずれかに対応して、光ディスクの種別および／またはメーカー毎に、前記使用条件が格納されている、第６の本発明の記録再生装置である。
第８の本発明は、前記ディスク情報格納装置に格納されている情報は、電気通信回線を介して更新可能である、第７の本発明の記録再生装置である。
第９の本発明は、前記第１の調整処理または前記第２の調整処理には、前記使用しようとする光ディスクの温度またはその周囲温度に応じて、記録または再生するための処理を最適化する処理が含まれる、第３の本発明の記録再生装置である。
第１０の本発明は、光ディスクドライブにおいて使用しようとする光ディスクの識別情報に対応する使用条件が、前記光ディスクドライブに接続される光ディスクレコーダのディスク情報格納バッファに格納されている場合、前記使用条件を利用して第１の調整処理を行うよう指示を出す工程と、
前記使用しようとする光ディスクの識別情報に対応する使用条件が、前記ディスク情報格納バッファに格納されていない場合、前記使用条件を利用せずに第２の調整処理を行うよう指示を出す工程と、を備える記録再生方法である。
第１１の本発明は、前記第１の調整処理または前記第２の調整処理の結果得られた使用条件を、前記ディスク情報格納バッファに格納する工程と、を備える、第１０の本発明の記録再生方法である。
第１２の本発明は、第１の本発明の記録再生装置の、ドライブ制御器としてコンピュータを機能させるためのプログラムである。
第１３の本発明は、第１２の本発明のプログラムを担持した記録媒体であって、コンピュータにより処理可能な記録媒体である。
第１４の本発明は、識別情報を有する光ディスクを収容し、前記光ディスクの起動、記録および再生を制御する光ディスクドライブと、
前記光ディスクドライブの制御を行うドライブ制御器と、
前記ドライブ制御器に接続され、光ディスクの識別情報に対応する使用条件を格納するディスク情報格納バッファと、を備え、
使用しようとする光ディスクの識別情報に対応する使用条件が、前記ディスク情報格納バッファに格納されている場合、前記ドライブ制御器は、前記光ディスクドライブが前記使用条件を利用して第１の調整処理を行うよう前記光ディスクドライブに指示を出し、
前記使用しようとする光ディスクの識別情報に対応する使用条件が前記ディスク情報格納バッファに格納されていない場合、前記ドライブ制御器は、前記光ディスクドライブが前記使用条件を利用せずに第２の調整処理を行うよう指示を出す、記録再生システムである。
第１５の本発明は、前記第１の調整処理の結果または前記第２の調整処理の結果得られた使用条件が、前記光ディスクドライブから前記ディスク情報格納バッファに格納される、第１４の本発明の記録再生システムである。
第１６の本発明は、電気通信回線を介してアクセスされることができ、光ディスクの識別情報とその識別情報に対応する使用条件とが格納されているディスク情報格納装置をさらに備える、第１４の本発明の記録再生システムである。
本発明によれば、光ディスクドライブのメモリ容量を増加することなく、起動時間の短縮化を可能にする記録再生装置、及び、記録再生方法、記録再生システム、プログラム、記録媒体を提供することができる。
【図面の簡単な説明】  図１は、本発明の実施の形態１の記録再生装置を含む記録再生システムの構成図である。
図２は、本発明の実施の形態１の記録再生装置の構成図である。
図３は、本発明の実施の形態１の記録再生装置のディスク情報格納バッファに格納されるディスク情報リストのデータ構成図である。
図４は、本発明の実施の形態１の記録再生装置の動作を示すフローチャートである。
図５は、本発明の実施の形態１の記録再生装置と光ディスクドライブの動作を示す図である。
図６は、本発明の実施の形態１の記録再生装置に接続される光ディスクドライブの動作を示すフローチャートである。
図７は、本発明の実施の形態１の記録再生装置に接続される光ディスクドライブの動作を示すフローチャートである。
図８は、本発明の実施の形態２の記録再生装置を含む記録再生システムの構成図である。
図９は、本発明の実施の形態２の記録再生装置の構成図である。
図１０は、本発明の実施の形態２の記録再生装置に接続されるサーバの構成図である。
図１１は、本発明の実施の形態２の記録再生装置に接続されるサーバのディスク製品情報格納バッファに格納されるディスク製品情報リストのデータ構成図である。
図１２は、本発明の実施の形態２の記録再生装置の動作を示すフローチャートである。
図１３は、本発明の実施の形態２の記録再生装置と光ディスクドライブとサーバとの動作を示す図である。
図１４は、従来技術の記録再生装置を含む記録再生システムの構成図である。
【符号の説明】
１００  光ディスクレコーダ
１２３  ドライブ制御器
１０２  ディスク情報格納バッファ
１１０  光ディスクドライブ
１１１  起動制御部
１１２  記録再生条件格納バッファ
１１３  記録再生条件調整処理器
１１４  記録再生制御器
１２０  光ディスク
２００  ディスク情報リスト
２１０  ヘッダ
２２０  ディスク情報
２２１  ディスク識別情報
２２２  記録再生条件
６００  光ディスクレコーダ
６０３  ネットワーク制御部
６３０  サーバ
６３１  ディスク製品情報格納バッファ
６３３  ネットワーク制御部
６４０  ネットワーク
７００  ディスク製品情報リスト
７１０  ヘッダ
７６０  ディスク製品情報
７７０  ディスク識別情報
７８０  記録再生条件
【発明を実施するための最良の形態】  以下、図面を参照しながら本発明の実施の形態を説明する。
（実施の形態１）
実施の形態１では、装着され得る多種多様な光ディスクに対する調整時間の短縮を可能にする記録再生装置、及び、使用条件の調整方法を提供する。
図１は、本発明の実施の形態１の記録再生装置を利用した光ディスクレコーダシステムの構成を示す。
本発明の記録再生装置の一例である光ディスクレコーダ１００は、シリアルバス１１５を介して光ディスクドライブ１１０に接続されている。図２は、光ディスクレコーダ１００および光ディスクドライブ１１０の構成を示す。光ディスクレコーダ１００のバス１０１には、ディスク情報格納バッファ１０２、光ディスクドライブ１１０を制御するドライブ制御器１２３が接続されている。ディスク情報格納バッファ１０２には、光ディスクドライブ１１０に装着された光ディスク１２０に関する、本発明の使用条件の一例である記録再生条件が格納されている。ドライブ制御器１２３には、シリアルバス１１５が接続されている。
光ディスクレコーダ１００の構成要素として、上記以外に、各種ドライバ、映像信号、音声信号をエンコードするためのエンコーダ、エンコードされた信号をデコードするためのデコーダ、ＨＤＤ等の固体メモリ、パネル操作部、バッファメモリ、入力部、出力制御部、表示部等があるが、それらの説明はここでは省略する。
光ディスクドライブ１１０のバス１２２には、装着された光ディスク１２０の起動処理を制御する起動制御器１１１、調整処理を制御する記録再生条件調整器１１３、その調整処理の結果を格納する記録再生条件格納バッファ１１２、光ディスク１２０への記録、及び、光ディスク１２０の再生を制御する記録再生制御器１１４、サーボ処理器１２７、信号処理器１３０、インターフェース処理器１３２が接続されている。サーボ処理器１２７には、レーザ発光器１２８が接続され、レーザ発光器１２８には、光ピックアップ１２９が接続されている。レーザ発光器１２８は信号処理器１３０と互いに接続されている。サーボ処理器１２７には光ディスク１２０を回転させるためのディスクモータ１２６が接続されている。インターフェース処理器１３２にはシリアルバス１１５が接続されている。
光ディスクレコーダ１００のディスク情報格納バッファ１０２は、記録再生条件を格納する記録媒体である。例えば、半導体メモリやハードディスクなどである。
光ディスクドライブ１１０に装着される光ディスク１２０の種類は、Ｂｌｕ−ｒａｙ  Ｄｉｓｃ、ＤＶＤ−ＲＡＭ、ＤＶＤ−Ｒ、ＤＶＤ−ＲＯＭ、ＤＶＤ−ＲＷ、ＤＶＤ＋Ｒ、ＤＶＤ＋ＲＷなどである。
図３は、ディスク情報格納バッファ１０２に格納されるディスク情報リスト２００の構成例を示す。
ディスク情報リスト２００は、光ディスク１２０の全体のサイズなどを示すヘッダ２１０と、ＩＤリスト２１２と、初期値リスト２１４とを有する。ＩＤリスト２１２および初期値リスト２１４は、光ディスク１２０に関する情報を格納する１以上のディスク情報２２０から構成される。ここで＃ｓ、＃ｉは便宜上つけたものであり、ｓ、ｉは１以上の整数である。
ヘッダ２１０には、リストサイズ、光ディスクレコーダ１００のハードウェア情報およびソフトウェア情報、光ディスクドライブ１１０のハードウェア情報およびソフトウェア情報、リストの最終更新日時等のうち少なくとも１つが含まれている。
ディスク情報２２０は、光ディスクドライブ１１０に装着された光ディスク１２０を識別するためのディスク識別情報２２１と、装着された光ディスク１２０に関する記録再生条件２２２を有している。
ＩＤリスト２１２のディスク識別情報２２１には、光ディスク１２０の種別、メーカー名、型番、ディスクＩＤ等の光ディスク１２０に固有であり、個々の光ディスク１２０を識別可能なＩＤが記載され、また記録再生条件２２２には、そのＩＤに対応した光ディスク１２０の記録再生条件が記載されている。すなわち、一旦光ディスクレコーダ１００で使用された光ディスク１２０のＩＤと、使用された状態における温度、光ディスク１２０の汚れ具合とに対応した記録再生条件が記載されている。このような記録再生条件としては、例えばレーザーパワー、レーザーパルス幅、サーボ条件等が挙げられる。
初期値リスト２１４のディスク識別情報２２１には、光ディスク（媒体）１２０の種別、メーカー名、ディスク型番等のうち少なくとも１つが記載され、また記録再生条件２２２には、それらに対応した光ディスク１２０の記録再生条件が記載されている。すなわち、光ディスク１２０の初期状態での上記と同様の記録再生条件が記載されている。
図４は、実施の形態１における、光ディスク１２０が装着された時、光ディスクレコーダ１００が光ディスクドライブ１１０に行う起動処理の流れを示すフローチャートである。図５は、その場合の光ディスクレコーダ１００と光ディスクドライブ１１０との間の情報のやりとりを示す。以下、図４および図５を用いて、光ディスクレコーダ１００と光ディスクドライブ１１０との動作を説明する。
ドライブ制御器１２３は、光ディスクドライブ１１０にディスク情報を要請し（ステップ２９７）、光ディスクドライブ１１０が光ディスク１２０の装着を検知した後、ドライブ制御器１２３は光ディスクドライブ１１０より装着された光ディスク１２０に関するディスク識別情報を取得する（ステップ３００）。
ドライブ制御器１２３は、取得したディスク識別情報に基づいて、ディスク情報リスト２００を検索する（ステップ３０１）。その結果、取得したディスク識別情報に含まれるＩＤ（ディスク固有情報）がＩＤリスト２１２にある場合（ステップ３０２においてＹｅｓ）、ドライブ制御器１２３は、そのＩＤリスト２１２に記載されている記録再生条件２２２を光ディスクドライブ１１０に伝達し、光ディスクドライブ１１０は受け取った記録再生条件２２２を記録再生条件格納バッファ１１２に設定する（ステップ３０４、ステップ３００１）。光ディスクドライブ１１０において条件設定が完了する（ステップ３０９）と、ドライブ制御器１２３は、設定した記録再生条件２２２を基準パラメータとして光ディスクドライブ１１０が調整処理（以下、部分調整１という。部分調整１は、本発明の第１の部分調整処理に一例として対応する。）を行うようドライブ制御器１１０に記録再生条件調整器１１３に指示を行う（ステップ３０５）。記録再生調整器１１３は、ドライブ制御器１１０からの指示を受けて部分調整１を行う。
ここで、ディスク識別情報がＩＤリスト２１２にあるとは、後述のように、一旦使用された光ディスク１２０のディスク識別情報がそのときに使用された記録再生条件とともにＩＤリスト２１２に追加されている状態を言う。
また、部分調整１においては、使用しようとする光ディスク１２０に対して前回使用した光ディスク１２０の記録再生条件（例えば、温度、汚れ具合等）があらかじめわかっているので、ステップ３０５においてドライブ制御器１２３は、使用しようとする光ディスク１２０の記録再生条件のうち、前回使用した際のものとは変化があり得る条件のみを最適化するよう光ディスクドライブ１１０に伝達し、光ディスクドライブ１１０は伝達された記録再生条件を記録再生条件調整器１１３に指示を出す。
取得したディスク識別情報に対応するＩＤがＩＤリスト２１２に無い場合（ステップ３０２においてＮｏ）、取得したディスク識別情報に対応するメーカー名、型番等が初期値リスト２１４にあれば（ステップ３０６においてＹｅｓ）、ドライブ制御器１２３は、その初期値リスト２１４に記載されている記録再生条件２２２を光ディスクドライブ１１０に伝達し、光ディスクドライブ１１０は、伝達された記録再生条件２２２を記録再生条件格納バッファ１１２に設定（ステップ３０７、ステップ３００１）する。光ディスクドライブ１１０において条件設定が完了する（ステップ３０９）と、設定した記録再生条件２２２を基準パラメータとして記録再生条件調整器１１３が調整処理（以下部分調整２という。部分調整２は、本発明の第２の部分調整処理に一例として対応する。）を行うよう、ドライブ制御器１２３は、光ディスクドライブ１１０を介して記録再生条件調整器１１３に指示を行う（ステップ３０８、ステップ３１１）。
ここで、ディスク識別情報が初期値リスト２１４にあるとは、使用しようとする光ディスク１２０のメーカー名、型番等に一致するディスク識別情報２２１と、記録再生条件２２２とが初期値リスト２１４に存在する状態を言う。
また、記録再生条件とは、光ディスクドライブ１１０が光ディスク１２０に情報を記録し、または、光ディスク１２０に記録された情報を再生する際の光ディスクドライブ１１０の動作条件をいう。記録再生条件は、光ディスク１２０に照射されるレーザのパルス条件と、記録再生時の各種サーボの動作を決定するサーボ条件と、再生信号を処理するための再生信号処理条件のうち少なくとも１つを含む。また、パルス条件は、例えば、記録時に光ディスクに照射されるレーザーのパワー値を含む。或いは、パルス条件は、光ディスク上にマーク（情報の最小単位）を形成するためのレーザーの条件を含んでもよい。図３には記録や再生時のレーザーのパワー、レーザーのパルス幅、サーボ制御などに関するパラメータを示すが、この限りではない。
また、部分調整２においては、初期値リスト２１４から得られた光ディスク１２０の記録再生条件を利用して、使用しようとする光ディスク１２０に対して最適になるような調整処理が行われる。従ってドライブ制御器１２３は、ステップ３０８において、そのような調整処理をするよう光ディスクドライブ１１０に指示を出す。
一方、取得したディスク識別情報に対応するディスク情報２２０がない場合（ステップ３０６においてＮｏ）、ドライブ制御器１２３は、光ディスクドライブ１１０に対し、その光ディスク１２０に適した基準パラメータがないことを前提に調整処理（以下、全調整という。）を行うよう指示を行う（ステップ３１１）。全調整においては、光ディスク１２０の全ての記録再生条件の最適化が行われる。
図６、及び、図７は、光ディスク１２０が光ディスクドライブ１１０に装着された時、光ディスクドライブ１１０が光ディスクレコーダ１００の指示により行う動作の流れを示すフローチャートである。
まず、図６について示す。
光ディスクドライブ１１０が、光ディスクレコーダ１００よりディスク識別情報取得の指示を受けたとき（ステップ２９７）、起動制御部１１１は、光ディスク１２０のディスク識別を行い（ステップ４００）、取得したディスク識別情報を光ディスクレコーダ１００に送信する（ステップ３００）。
続いて、図７について説明する。
光ディスクレコーダ１００より調整処理を行うよう指示を受けたとき（図５、ステップ３１１）、光ディスクドライブ１１０は、指示の内容を記録再生条件格納バッファ１１２に格納する。そして、光ディスクドライブ１１０の記録再生条件調整器１１３は、受けた指示の内容を解析する（ステップ５００）。指示の内容が記録再生条件格納バッファ１１２に格納されている記録再生条件２２２を基準パラメータとして調整処理を行うものだった場合（ステップ５００で「部分調整１」または「部分調整２」）、記録再生条件調整器１１３は、記録再生条件格納バッファ１１２に格納された記録再生条件２２２を取得し（ステップ５０１、またはステップ５０２）、その記録再生条件２２２を基準パラメータとして調整処理を行う（ステップ５０３、またはステップ５０４）。一方、指示の内容がその光ディスク１２０に適した基準パラメータがないことを前提に調整処理を行うものだった場合（ステップ５００で「全調整」）、記録再生条件調整器１１３は、基準パラメータ無しに、あるいは、例えば記録再生条件格納バッファ１１２が一般的なものとして保有する基準パラメータを使用して調整処理を行う（ステップ５０５）。
この場合、装着された光ディスク１２０に対して光ディスクドライブ１１０が保有する一般的な記録再生条件を利用することが可能な場合はその記録再生条件を元に調整処理を行うが、一般的な記録再生条件が利用できない光ディスク１２０の場合や一般的な記録再生条件を元に行った調整処理に失敗した場合は、最適な記録再生条件が見つかるまで調整処理を繰り返す。
調整指示が完了すると（図５、ステップ３１２）、光ディスクレコーダ１００のドライブ制御器１２３は、調整結果の取得を光ディスクドライブ１１０に要請する（図５、ステップ３１３）。そして、光ディスクドライブ１１０から調整結果を受け取り（図５、ステップ３１４）、ドライブ制御器１２３は、ディスク情報を更新する（ステップ５０６）。すなわち、調整処理が、全調整、部分調整１、および部分調整２のいずれであっても、ドライブ制御器１２３は、調整処理の結果最適化した記録再生条件を光ディスクドライブ１１０より取得し（図５、ステップ３１４）、ディスク識別情報とともにＩＤリスト２１２に追加する。
このように、ディスク識別情報を元にディスク情報リスト２００を検索し、該当する記録再生条件２２２を調整処理に利用することで、調整処理の時間短縮を図ることが可能になり、加えて、調整処理が成功する可能性を高めることが可能になる。その結果、起動時間が短くなることが可能になる。
特に、一旦待機状態（例えば停止状態）になった後、光ディスク１２０が排出されることなく再び記録または再生状態に移行する場合、調整処理の結果得られた記録再生条件は、ディスク情報格納バッファ１０２のディスク情報リスト２００から即座に取得・利用され、記録再生処理までに時間時間を要することがない。また、一般に光ディスクドライブ１１０は、待機状態において省電力のために電源の供給が停止されるが、ディスク情報格納バッファ１０２への電力供給は、光ディスクレコーダ１００本体の電源の供給を停止しない限り停止されないので、待機状態においても、格納された記録再生条件を保持することができる。その結果、光ディスク１２０が排出されずに待機状態から録画再生可能状態に移行する際、光ディスクドライブ１１０の記録再生条件格納バッファ１１２に記録再生条件が格納されていなくても、記録再生制御器１１４は、記録、再生を再開するときに即座に必要な記録再生条件を使用することができる。
また、記録再生条件２２２を光ディスクレコーダ１００のディスク情報格納バッファ１０２に格納することで、多数の光ディスク１２０に関する記録再生条件２２２を格納することが可能になり、調整処理時間の短縮、及び、調整処理に成功する可能性の向上を図ることが可能になる。また、光ディスクドライブ１１０の記録再生条件格納バッファ１１２には、多数の光ディスク１２０に関する記録再生条件を格納する必要が無いので、メモリの容量を抑えることができる。すなわち、光ディスクドライブ１１０としては、パソコン用などの汎用品を利用することができる。
なお、本実施の形態においては、全調整、部分調整１、および部分調整２の調整処理のいずれの結果もディスク情報格納バッファ１０２に格納されるとしたが、例えば、全調整、または部分調整２の場合のみ、それらの結果がディスク情報格納バッファ１０２に格納されることも考えられる。
また、ディスク識別情報に格納されるのは、ＩＤ、メーカー名、型番に限らず、シリアル番号等他の情報であってもよい。さらに、リストは、初期値リスト２１４、ＩＤリスト２１２以外のリストであってもよい。その場合であっても、対応する記録再生条件を用いて部分調整をすれば、記録または再生を中断してからの起動時間を短縮することは可能である。
（実施の形態２）
実施の形態２では、光ディスクレコーダが出荷された後に発売された光ディスク１２０に対する調整時間の短縮を可能にする記録再生装置、及び、記録再生条件の調整方法を提供する。
図８は、本発明の実施の形態２における記録再生装置を使用した記録再生システムの構成を示す。
光ディスクレコーダ６００は、本発明の電気通信回線の一例であるネットワーク６４０を通じて、本発明のディスク情報格納装置の一例であるサーバ６３０と接続されている。このようなネットワーク６４０としてインターネットが挙げられるがこれに限定されない。また光ディスクレコーダ６００は、光ディスクドライブ１１０にシリアルバス１１５を介して接続されている。
光ディスクレコーダ６００および光ディスクドライブ１１０の構成を図９に示す。光ディスクレコーダ６００におけるネットワーク制御部６０３は、ネットワーク６４０を通して行われる通信処理を制御するものである。また、光ディスクレコーダ６００の他の構成要素は、実施の形態１のものと同じであるため、説明を割愛する。また、光ディスクドライブ１１０の構成は、実施の形態１のものと同じであるため、説明を割愛する。
サーバ６３０の構成を図１０に示す。サーバ６３０は、ネットワーク６４０を通して行われる通信処理を制御するネットワーク制御部６３３と、市場で発売されている光ディスクに関する記録再生条件を格納するディスク製品情報格納バッファ６３１、ディスク製品情報格納バッファ６３１への情報の入力および、ディスク製品情報格納バッファ６３１からの情報の出力を制御するための、ＣＰＵ６３２、ＲＯＭ６３４、ＲＡＭ６３５、およびフラッシュメモリ６３６、ならびにバス６３７を備える。
ディスク製品情報格納バッファ６３１は記録媒体である。例えば、半導体メモリやハードディスクなどである。
図１１は、ディスク製品情報格納バッファ６３１に格納されるディスク製品情報リスト７００の構成例を示す。
ディスク製品情報リスト７００は、全体のサイズ、更新日時、データバージョンなどのうち少なくとも１つを含むヘッダ７１０と、市場で発売されている光ディスクレコーダ６００に関する情報を格納する１以上のレコーダメーカー情報７２０を含む。各レコーダメーカー情報７２０は、レコーダメーカー識別情報７３０とそのメーカーの光ディスクレコーダ６００の型式に関する情報を格納する１以上のレコーダ型式情報７４０を含む。各レコーダ型式情報７４０は、レコーダ型式識別情報７５０と、市場で発売された光ディスク１２０の製品に関する情報を格納する１以上のディスク製品情報７６０を含む。レコーダ型式識別情報７５０には、レコーダソフトウェア情報、ドライブハードウェア情報、ドライブファームウェア情報、ドライブソフトウェア情報等のうち少なくとも１つが含まれる。各ディスク製品情報７６０は、光ディスク１２０（記録媒体）の種別、メーカー名等のうち少なくとも１つが格納されるディスク識別情報７７０、ならびに各光ディスク１２０の種別および／または各メーカー名に対応した、記録再生条件７８０を含む。ここで＃ｍ、＃ｌ、＃ｐは便宜上つけたものであり、各ｍ、ｌ、ｐは１以上の整数である。
ディスク製品情報７６０は、新たなタイプの光ディスク１２０が市場に出るたびにネットワーク６４０を介した外部操作により、またはサーバ６３０からの直接操作により更新されている。
図１２は、実施の形態２における、光ディスク１２０が装着された時、光ディスクレコーダ６００が光ディスクドライブ１１０に行う起動処理の流れを示すフローチャートである。図１３は、その場合の光ディスクレコーダ６００と光ディスクドライブ１１０とサーバ６３０との間の情報のやりとりを示す。以下、図１２および図１３を用いて、光ディスクレコーダ６００と光ディスクドライブ１１０との動作を説明する。
光ディスクドライブ１１０に光ディスク１２０が装着されたことをドライブ制御器１２３が検知した後、ドライブ制御器１２３は光ディスクドライブ１１０より、装着された光ディスク１２０に関するディスク識別情報を取得する（ステップ７９９、ステップ８００）。ここで、ステップ８０１、ステップ８０２、ステップ８０４、ステップ８０５、ステップ８０６、ステップ８０７、ステップ８０８は、図４におけるステップ３０１、ステップ３０２、ステップ３０４、ステップ３０５、ステップ３０６、ステップ３０７、ステップ３０８にそれぞれ対応するので、その説明は省略する。
ステップ８０６において、取得したディスク識別情報が初期値リスト２１４に対応していない場合、ドライブ制御器１２３は、まず、光ディスクドライブ１１０のメーカー名、型式、ソフトウェア情報など（以下、ドライブ情報という。）を光ディスクドライブ１１０に要請する（ステップ８１２）。そして、ドライブ制御器１２３は、ステップ８００で取得したディスク識別情報と、光ディスクレコーダ１００のレコーダーメーカー識別情報およびレコーダ型式識別情報等（以下、レコーダーメーカー情報という。）と、光ディスクドライブ１１０から取得した（ステップ８１３）ドライブ情報（光ディスクドライブ１１０のドライブハードウェア情報、ドライブファームウェア情報、およびドライブソフトウェア情報の少なくともいずれかの情報を言う。）とを、ネットワーク制御部６０３を介して、サーバ６３０に送信することにより記録再生条件７８０を要請する（ステップ８１４）。その要請を受けたサーバ６３０は、ディスク製品情報格納バッファ６３１に格納されたディスク製品情報リスト７００を検索し、受信したレコーダーメーカー情報、ドライブ情報、およびディスク識別情報に対応する記録再生条件７８０をネットワーク制御部６３３を介して光ディスクレコーダ６００に送信する。その送信された記録再生条件７８０を受信することで、光ディスクレコーダ６００は記録再生条件７８０を取得することができる（ステップ８１０）。その後、ドライブ制御器１２３は、取得した記録再生条件７８０とディスク識別情報を使って初期値リスト２１４の更新を行い、ディスク情報格納バッファ１０２に格納した後（ステップ８１１）、その記録再生条件７８０を光ディスクドライブ１１０に設定する（ステップ８０７、図１３のステップ３００１、ステップ３０９）。最後に、ドライブ制御器１２３は、設定した記録再生条件７８０を基準パラメータとして調整処理を行うよう指示を行う（ステップ８０８、図１３のステップ３１１）。その後の処理（ステップ３１２、３１３、３１４）は、図５におけるものと同一であるのでその説明を省略する。
この場合、光ディスクドライブ１１０が光ディスクレコーダ６００の指示により行う動作の流れは、全調整が無い点を除き、実施の形態１の場合と同様であるため説明を割愛する。
このように、光ディスクレコーダ６００が出荷された後に発売された未知の光ディスク１２０が光ディスクドライブ１１０に装着された場合、ネットワーク６４０で接続されたサーバ６３０から該当する記録再生条件７８０を取得し、その記録再生条件７８０を調整処理に利用することで、未知の光ディスク１２０に対しても調整処理時間を短くすることが可能になり、加えて、調整処理が成功する可能性を高めることが可能になる。その結果、起動時間の短縮を図ることが可能になる。すなわち、実施の形態１に記載の記録再生装置では、光ディスク１２０が未知の場合は、全調整をする必要があったが、本実施の形態の記録再生装置においては、全調整をする必要がないので、さらに起動時間の短縮を図ることができる。
なお、記録再生条件とは、記録や再生レーザーのパワー、レーザーのパルス幅、サーボ制御などに関するパラメータを示すが、この限りではない。例えば、前記パラメータのほかに、調整処理を行うためのプログラムなどを含めてもよい。
なお、ディスク識別情報に対応する記録再生条件がディスク情報リスト２００にない場合、サーバ６３０から取得した記録再生条件７８０を元にディスク情報リスト２００を更新するとしたがその限りではない。例えば、調整処理が完了した後、光ディスクドライブ１１０から最適化された記録再生条件を取得し、その記録再生条件を元にディスク情報リスト２００を更新するようにしても良い。
また、ディスク識別情報７７０は、例えば、光ディスク１２０の製品番号や製造番号などのシリアル番号などを含んでもよい。
また、ネットワークとはイーサネット（登録商標）のほか、ＩＥＥＥ１３９４、ＵＳＢが該当する。
また、このようなサーバをネットワーク上に構築することで、光ディスクレコーダ購入者に購入後の機能・性能向上をもたらすサービスを提供することが可能になる。
また、記録再生条件をネットワーク経由で取得するとしたがその限りではない、例えば、デジタル放送などの放送を通じて取得するとしても良い。
また、実施の形態２では、サーバにディスク製品情報を格納しているがその限りではない。例えば、ＳＤカードにディスク製品情報を格納し、そのＳＤカードを光ディスクレコーダに接続することで記録再生条件を取得するようにしてもよいし、ＤＶＤ−ＲＯＭのような光ディスクに格納しておき、そのディスクが装着されたときに取得するようにしてもよい。
また、実施の形態２では、ネットワークに接続されたサーバに対して記録再生条件７８０を要求しているがその限りではない。例えば、光ディスクレコーダ同士をネットワークで接続し、装着された光ディスクに該当する記録再生条件を相手の光ディスクレコーダに求めるようにしても良い。その場合、本発明のディスク情報格納装置は、別の記録再生装置に対応する。
また、ネットワーク制御部６０３は無い場合も考えられる。すなわち、本発明のドライブ制御器が電気通信回線を介して本発明のディスク情報格納装置にアクセスすることができれば上記と同様の効果を得ることができる。
なお、以上までの説明において、本発明の第１の調整処理は、一例として図４に示す場合はステップ３０５またはステップ３０８に対応し、図７に示す場合は、ステップ５０３またはステップ５０４に対応し、図１２に示す場合はステップ８０８またはステップ８０５に対応し、本発明の第２の調整処理は、一例として、図４に示す場合は、ステップ３１０に対応し、図７に示す場合は、ステップ５０５に対応する。
また、以上までの説明においては、部分調整１、２においても、光ディスク１２０の記録再生条件を最適化するとしたが、例えば、レーザーのパルス幅のように温度で特性が変わりにくいパラメータは「部分調整１」または「部分調整２」と指示された場合は、設定された記録再生条件をそのまま利用し、再調整しないようにすることで、調整処理時間の短縮を図ってもよい。
また、以上までの説明において、ディスク情報リスト２００に格納する記録再生条件２２２の中にレーザーパワーなど温度変化により特性が変わるパラメータがある場合、光ディスク１２０が装着された温度に応じて最適な記録再生条件を設定することを可能にするため、ディスク情報２２０に格納する記録再生条件２２２を一定温度ごと、例えば、０℃から６０℃までの１０℃単位ごとの記録再生条件２２２をリストとして保持しても良い。この場合、ドライブ制御器１２３がディスク識別情報を取得する際に光ディスクドライブ１１０の温度を合わせて取得し、該当する記録再生条件を設定してもよい。或いは、ディスク識別情報に対応する全ての温度の記録再生条件２２２を光ディスクドライブ１１０の記録再生条件格納バッファ１１２に設定し、記録再生条件調整器１１３が調整処理を行うときの光ディスク１２０または光ディスクドライブ１１０の温度に応じて適切な記録再生条件を利用する、としても良い。
また、以上までの説明において、本発明の記録再生装置は光ディスクレコーダ１００、６００であるとしたがその限りではない。光ディスク１２０に対して記録再生する装置であればどのような装置であってもよい。
また、以上までの説明においては、光ディスクレコーダ１００、６００と、光ディスクドライブ１１０とは、別々の構成として説明しているが、例えば、１つの筐体に入っていてもよい。
また、以上までの説明においては、装着された光ディスク１２０のディスク識別情報に対応する記録再生条件がディスク情報リスト２００またはディスク製品情報リスト７００にある場合、その記録再生条件を使って調整処理を行うとしたがその限りではない。例えば、実質上調整処理なしに、その記録再生条件を使って記録再生を行うとしてもよい。その場合、本発明の第１の調整処理は、実質上調整処理しないことを意味する。
また、以上までの説明においては、使用しようとする光ディスク１２０の状態に合わせて記録再生条件を最適化する処理を記載しているが、その限りではない。例えば、光ディスクドライブ１１０の光ピックアップ１２９に埃がのるなどの理由で特性が変わる場合を考慮して、調整処理が完了する毎に記録再生条件を取得し、ディスク情報リスト２００を更新するようにしても良い。そのような場合も、上記と同様の効果を得ることができる。
また、取得したディスク識別情報をディスク情報格納バッファとは別のバッファなどに格納しておくことにより、光ディスク１２０が装着されたまま再度起動処理を行う場合、光ディスクドライブ１１０よりディスク識別情報を取得することなくバッファに格納されたディスク識別情報を利用するようにしてもよい。
また、調整処理を行う場合、光ディスクドライブ１１０は光ディスクレコーダ１００より受けた指示に従って記録再生条件を利用するかどうかを判断するとしたがその限りではない。例えば、光ディスクドライブ１１０に記録再生条件の設定がされているかどうかを光ディスクドライブ１１０が自ら判断し、設定されていれば調整処理に利用するようにしてもよい。
また、以上までの説明において、ディスク識別情報２２１、ディスク識別情報７７０に格納する情報は光ディスク１２０に関する情報だけでなく、上記のように光ディスクレコーダ６００に内蔵する光ディスクドライブ１１０に関する情報、例えば、メーカの情報、製品に関する情報、シリアル番号などを格納するようにしてもよい。これにより、光ディスクドライブ１１０の個体差に伴う記録再生条件の違いを吸収することが可能になる。
また、光ディスクレコーダ１００、６００、および光ディスクドライブ１１０を備える、記録再生システムも本発明の範疇である。
また、以上までの説明において、本発明の光ディスクドライブは、パソコン用の光ディスクドライブ等の汎用品を想定して記載しているが、これに限定されるものではない。
また、本発明は、上述した本発明のドライブ制御器の全部または一部の手段または装置の機能をコンピュータにより実行させるためのプログラムであって、コンピュータと協働して動作するプログラムである。
また、本発明は、上述した本発明のドライブ制御器のためのプログラムを担持した記録媒体であり、コンピュータにより読み取り可能且つ、読み取られた前記プログラムが前記コンピュータと協働して前記機能を実行する記録媒体である。
また、本発明の一部の手段または装置とは、それらの複数の手段または装置のうちの、幾つかの手段または装置を意味し、あるいは、一つの手段または装置のうちの、一部の機能または一部の動作を意味するものである。
また、本発明の一部の手段または装置とは、それらの複数の手段または装置のうちの、幾つかの手段または装置を意味し、あるいは、一つの手段または装置のうちの、一部の手段のまたは装置を意味し、あるいは、一つの手段のうちの一部の機能を意味するものである。
また、本発明のプログラムを記録した、コンピュータにより読み取り可能な記録媒体も本発明に含まれる。
また、本発明のプログラムの一利用形態は、コンピュータにより読み取り可能な記録媒体に記録され、コンピュータと協働して動作する態様であってもよい。
また、本発明のプログラムの一利用形態は、伝送媒体中を伝送し、コンピュータにより読み取られ、コンピュータと協働して動作する態様であってもよい。
また、記録媒体としては、ＲＯＭ等が含まれ、伝送媒体としては、インターネット等の伝送媒体、光、電波、音波等が含まれる。
また、上述した本発明のコンピュータは、ＣＰＵ等の純然たるハードウェアに限らず、ファームウェアや、ＯＳ、更に周辺機器を含むものであってもよい。
また、以上説明したように、本発明の構成は、ソフトウェア的に実現してもよいし、ハードウェア的に実現してもよい。
【産業上の利用可能性】  本発明にかかる記録再生装置によれば、光ディスクドライブのメモリ容量を増加することなく、起動時間を短縮することができ、光ディスクレコーダ等として有用である。
【図１】
2004109665.tif 000003
【図２】
2004109665.tif 000004
【図３】
2004109665.tif 000005
【図４】
2004109665.tif 000006
【図５】
2004109665.tif 000007
【図６】
2004109665.tif 000008
【図７】
2004109665.tif 000009
【図８】
2004109665.tif 000010
【図９】
2004109665.tif 000011
【図１０】
2004109665.tif 000012
【図１１】
2004109665.tif 000013
【図１２】
2004109665.tif 000014
【図１３】
2004109665.tif 000015
【図１４】
2004109665.tif 000016
【手続補正書】
【提出日】平成17年7月27日(2005.7.27)
【手続補正１】
【補正対象書類名】特許請求の範囲
【補正対象項目名】全文
【補正方法】変更
【補正の内容】
【特許請求の範囲】
【請求項１】
識別情報を有する光ディスクを収容し、前記光ディスクの起動、記録および再生を制御する光ディスクドライブに接続され、前記光ディスクドライブの制御を行うドライブ制御器と、
前記ドライブ制御器に接続され、光ディスクの識別情報に対応する使用条件を格納するディスク情報格納バッファと、を備え、
使用しようとする光ディスクの識別情報に対応する使用条件が、前記ディスク情報格納バッファに格納されている場合、前記ドライブ制御器は、前記光ディスクドライブが前記使用条件を利用して第１の調整処理を行うよう前記光ディスクドライブに指示を出し、
前記使用しようとする光ディスクの識別情報に対応する使用条件が、前記ディスク情報格納バッファに格納されていない場合、前記ドライブ制御器は、前記光ディスクドライブが前記使用条件を利用せずに第２の調整処理を行うよう前記光ディスクドライブに指示を出す、記録再生装置。
【請求項２】
前記第１の調整処理または前記第２の調整処理の結果得られた使用条件が、前記光ディスクドライブから前記ディスク情報格納バッファに格納される、請求項１に記載の記録再生装置。
【請求項３】
前記光ディスクの使用条件は、光ディスクに記録または光ディスクの再生を行う際に利用する情報であり、前記調整処理は、前記光ディスクに最適な記録または再生を行うための前記光ディスクの使用条件を求める処理である、請求項１に記載の記録再生装置。
【請求項４】
前記記録または再生を行う際に利用する情報は、レーザーのパワー、レーザーのパルス幅、およびサーボ条件の少なくともいずれかに関する情報である、請求項３に記載の記録再生装置。
【請求項５】
前記光ディスクの識別情報は個別のＩＤ、メーカー名、および型番の少なくともいずれかを有し、前記第１の調整処理は、第１の部分調整処理、および第２の部分調整処理を有しており、
前記光ディスクのＩＤが前記ディスク情報格納バッファに格納されている場合は、前記ドライブ制御器は、前記光ディスクドライブが前記ＩＤに対応する光ディスクの使用条件を利用して第１の部分調整処理を行うよう前記光ディスクドライブに指示を出し、
前記光ディスクのＩＤが前記ディスク情報格納バッファに格納されておらず、前記光ディスクのメーカー名および／または型番が前記光ディスク情報格納バッファに格納されている場合は、前記ドライブ制御器は、前記光ディスクドライブが前記光ディスクのメーカーおよび／または型番に対応する光ディスクの使用条件を利用して第２の部分調整処理を行うよう前記光ディスクドライブに指示を出し、
前記第１の部分調整処理または前記第２の部分調整処理の結果得られた使用条件が、前記光ディスクドライブから前記ディスク情報格納バッファに格納される、請求項２に記載の記録再生装置。
【請求項６】
さらに、前記ドライブ制御器は、光ディスクの識別情報とその識別情報に対応する使用条件とが格納されているディスク情報格納装置に電気通信回線を介してアクセスすることができ、
前記使用しようとする光ディスクの識別情報に対応する使用条件が、前記ディスク情報格納バッファに格納されていない場合、前記ドライブ制御器は、前記第２の調整処理を行う代わりに、前記電気通信回線を介して、前記ディスク情報格納装置から、前記識別情報に対応する使用条件を取得し、前記光ディスクドライブが前記使用条件を利用して前記第１の調整処理を行うよう前記光ディスクドライブに指示を出す、請求項３に記載の記録再生装置。
【請求項７】
前記ディスク情報格納装置には、記録再生装置に関する、メーカー名、型式、ソフトウェア情報、ならびに前記光ディスクドライブに関するハードウェア情報、およびソフトウェア情報、の少なくともいずれかに対応して、光ディスクの種別および／またはメーカー毎に、前記使用条件が格納されている、請求項６に記載の記録再生装置。
【請求項８】
前記ディスク情報格納装置に格納されている情報は、電気通信回線を介して更新可能である、請求項７に記載の記録再生装置。
【請求項９】
前記第１の調整処理または前記第２の調整処理には、前記使用しようとする光ディスクの温度またはその周囲温度に応じて、記録または再生するための処理を最適化する処理が含まれる、請求項３に記載の記録再生装置。
【請求項１０】
光ディスクドライブにおいて使用しようとする光ディスクの識別情報に対応する使用条件が、前記光ディスクドライブに接続される光ディスクレコーダのディスク情報格納バッファに格納されている場合、前記使用条件を利用して第１の調整処理を行うよう指示を出す工程と、
前記使用しようとする光ディスクの識別情報に対応する使用条件が、前記ディスク情報格納バッファに格納されていない場合、前記使用条件を利用せずに第２の調整処理を行うよう指示を出す工程と、を備える記録再生方法。
【請求項１１】
前記第１の調整処理または前記第２の調整処理の結果得られた使用条件を、前記ディスク情報格納バッファに格納する工程と、を備える、請求項１０に記載の記録再生方法。
【請求項１２】
請求項１に記載の記録再生装置の、ドライブ制御器としてコンピュータを機能させるためのプログラム。
【請求項１３】
請求項１２に記載のプログラムを担持した記録媒体であって、コンピュータにより処理可能な記録媒体。
【請求項１４】
識別情報を有する光ディスクを収容し、前記光ディスクの起動、記録および再生を制御する光ディスクドライブと、
前記光ディスクドライブの制御を行うドライブ制御器と、
前記ドライブ制御器に接続され、光ディスクの識別情報に対応する使用条件を格納するディスク情報格納バッファと、を備え、
使用しようとする光ディスクの識別情報に対応する使用条件が、前記ディスク情報格納バッファに格納されている場合、前記ドライブ制御器は、前記光ディスクドライブが前記使用条件を利用して第１の調整処理を行うよう前記光ディスクドライブに指示を出し、
前記使用しようとする光ディスクの識別情報に対応する使用条件が前記ディスク情報格納バッファに格納されていない場合、前記ドライブ制御器は、前記光ディスクドライブが前記使用条件を利用せずに第２の調整処理を行うよう指示を出す、記録再生システム。
【請求項１５】
前記第１の調整処理の結果または前記第２の調整処理の結果得られた使用条件が、前記光ディスクドライブから前記ディスク情報格納バッファに格納される、請求項１４に記載の記録再生システム。
【請求項１６】
電気通信回線を介してアクセスされることができ、光ディスクの識別情報とその識別情報に対応する使用条件とが格納されているディスク情報格納装置をさらに備える、請求項１４に記載の記録再生システム。
【手続補正２】
【補正対象書類名】明細書
【補正対象項目名】全文
【補正方法】変更
【補正の内容】
【発明の詳細な説明】
【技術分野】
【０００１】
本発明は、光ディスクに記録再生を行う記録再生装置、記録再生方法、記録再生システム、そのプログラム、および記録媒体に関する。
【背景技術】
【０００２】
近年、光ディスクに記録再生を行う装置が開発、販売されている。例えば、図１４に示すように光ディスクに映像や音声などのＡＶデータを記録する光ディスクレコーダ１０００がある。この光ディスクレコーダ１０００が所有する機能としては、ＡＶデータの入出力制御機能、アナログのＡＶデータを扱う場合はデジタルデータへの変復調を行う機能、装着された光ディスクに適したデータ形式にＡＶデータを加工する機能、及び、光ディスクへの記録再生を行う機能に大別される。このうち、光ディスクに記録再生をする機能の担当する装置として、光ディスクドライブ１１０が利用される。
【０００３】
この光ディスクドライブ１１０では、装着された光ディスクに対してデータの記録再生を適切に行うため、レーザーのパワーの調整が行われている（例えば、特許文献１参照。）。すなわち、使用しようとする光ディスクの評価トラックにレーザー光を徐々に変化させながら信号を記録し、記録された信号の良否を判定し、判定結果が良好な場合は、判定が良である範囲で最も低いパワーを決定することにより調整を行うというものである。
【特許文献１】特開平０４−１４１８２７号公報
【発明の開示】
【発明が解決しようとする課題】
【０００４】
しかし、近年の光ディスクの大容量化、記録密度の高密度化に伴い、記録再生処理条件の最適値を求める処理（以下、調整処理という。）は、上記のレーザーのパワーの調整のみならず他の様々な記録再生に関わる条件（以下、記録再生条件という。）に対しても行うことが必要になってきた。その結果、調整処理全体の時間が長くなり、光ディスクドライブ１１０に光ディスクが装着されてから記録処理、あるいは、再生処理を行うことが可能になるまでの時間（以下、起動時間という。）が長くなるという問題点があった。
【０００５】
また、近年、光ディスクの需要が高まるにつれ、多くの光ディスク製造メーカが開発・販売に参入するようになり、光ディスクの製造メーカの違い、或いは、同一メーカでも一枚一枚の間で記録再生に関する特性が異なる光ディスクが市場に出回るようになってきた。一方、光ディスクレコーダに内蔵されている光ディスクドライブにおいては、当該光ディスクレコーダが出荷されるまでに発売された光ディスクに対して調整処理が適切に行われるように、調整処理のアルゴリズムを最適化する、或いは、一般的な記録再生条件を光ディスクドライブ１１０に予め保存しておくことで調整処理時間の短縮と調整処理の成功する可能性の向上が図られている。しかしながら、当該光ディスクレコーダが出荷された後に発売された光ディスクは当該光ディスクレコーダには対応していないため、調整処理に時間がかかり起動時間が長くなる、或いは、調整処理に失敗して記録処理や再生処理が行われなくなるという問題点もあった。
【０００６】
これらの問題を解決するため、上記調整処理の結果を光ディスクドライブ１１０のメモリに格納しておくことが考えられる。
【０００７】
しかし、光ディスクドライブ１１０に上記調整処理の結果を格納するためのメモリを増設することは、光ディスクドライブ１１０の高コスト化をもたらす。
【０００８】
さらに、当該光ディスクレコーダ１０００が出荷されるまでに発売された光ディスクに対しても、発売されるディスクの種類が増えるにつれ、光ディスクドライブ１１０に予め保存しておく一般的な記録再生条件の容量が大きくなってきていた。一般的に光ディスクドライブ１１０に付属のメモリは、コストダウン等を目的に保存容量が小さいこともあり、市場にある全ての光ディスクに関する一般的な記録再生条件を全て光ディスクドライブ１１０に保存しておくことが困難であるという問題点もあった。
【０００９】
本発明は、上記問題点に鑑みてなされたものであり、光ディスクドライブのメモリ容量を増加することなく、起動時間の短縮化を可能にする記録再生装置、及び、記録再生方法、記録再生システム、プログラム、記録媒体を提供することを目的とする。
【課題を解決するための手段】
【００１０】
第１の本発明は、識別情報を有する光ディスクを収容し、前記光ディスクの起動、記録および再生を制御する光ディスクドライブに接続され、前記光ディスクドライブの制御を行うドライブ制御器と、
前記ドライブ制御器に接続され、光ディスクの識別情報に対応する使用条件を格納するディスク情報格納バッファと、を備え、
使用しようとする光ディスクの識別情報に対応する使用条件が、前記ディスク情報格納バッファに格納されている場合、前記ドライブ制御器は、前記光ディスクドライブが前記使用条件を利用して第１の調整処理を行うよう前記光ディスクドライブに指示を出し、
前記使用しようとする光ディスクの識別情報に対応する使用条件が、前記ディスク情報格納バッファに格納されていない場合、前記ドライブ制御器は、前記光ディスクドライブが前記使用条件を利用せずに第２の調整処理を行うよう前記光ディスクドライブに指示を出す、記録再生装置である。
【００１１】
第２の本発明は、前記第１の調整処理または前記第２の調整処理の結果得られた使用条件が、前記光ディスクドライブから前記ディスク情報格納バッファに格納される、第１の本発明の記録再生装置である。
【００１２】
第３の本発明は、前記光ディスクの使用条件は、光ディスクに記録または光ディスクの再生を行う際に利用する情報であり、前記調整処理は、前記光ディスクに最適な記録または再生を行うための前記光ディスクの使用条件を求める処理である、第１の本発明の記録再生装置である。
【００１３】
第４の本発明は、前記記録または再生を行う際に利用する情報は、レーザーのパワー、レーザーのパルス幅、およびサーボ条件の少なくともいずれかに関する情報である、第３の本発明の記録再生装置である。
【００１４】
第５の本発明は、前記光ディスクの識別情報は個別のＩＤ、メーカー名、および型番の少なくともいずれかを有し、前記第１の調整処理は、第１の部分調整処理、および第２の部分調整処理を有しており、
前記光ディスクのＩＤが前記ディスク情報格納バッファに格納されている場合は、前記ドライブ制御器は、前記光ディスクドライブが前記ＩＤに対応する光ディスクの使用条件を利用して第１の部分調整処理を行うよう前記光ディスクドライブに指示を出し、
前記光ディスクのＩＤが前記ディスク情報格納バッファに格納されておらず、前記光ディスクのメーカー名および／または型番が前記光ディスク情報格納バッファに格納されている場合は、前記ドライブ制御器は、前記光ディスクドライブが前記光ディスクのメーカーおよび／または型番に対応する光ディスクの使用条件を利用して第２の部分調整処理を行うよう前記光ディスクドライブに指示を出し、
前記第１の部分調整処理または前記第２の部分調整処理の結果得られた使用条件が、前記光ディスクドライブから前記ディスク情報格納バッファに格納される、第２の本発明の記録再生装置である。
【００１５】
第６の本発明は、さらに、前記ドライブ制御器は、光ディスクの識別情報とその識別情報に対応する使用条件とが格納されているディスク情報格納装置に電気通信回線を介してアクセスすることができ、
前記使用しようとする光ディスクの識別情報に対応する使用条件が、前記ディスク情報格納バッファに格納されていない場合、前記ドライブ制御器は、前記第２の調整処理を行う代わりに、前記電気通信回線を介して、前記ディスク情報格納装置から、前記識別情報に対応する使用条件を取得し、前記光ディスクドライブが前記使用条件を利用して前記第１の調整処理を行うよう前記光ディスクドライブに指示を出す、第３の本発明の記録再生装置である。
【００１６】
第７の本発明は、前記ディスク情報格納装置には、記録再生装置に関する、メーカー名、型式、ソフトウェア情報、ならびに前記光ディスクドライブに関するハードウェア情報、およびソフトウェア情報、の少なくともいずれかに対応して、光ディスクの種別および／またはメーカー毎に、前記使用条件が格納されている、第６の本発明の記録再生装置である。
【００１７】
第８の本発明は、前記ディスク情報格納装置に格納されている情報は、電気通信回線を介して更新可能である、第７の本発明の記録再生装置である。
【００１８】
第９の本発明は、前記第１の調整処理または前記第２の調整処理には、前記使用しようとする光ディスクの温度またはその周囲温度に応じて、記録または再生するための処理を最適化する処理が含まれる、第３の本発明の記録再生装置である。
【００１９】
第１０の本発明は、光ディスクドライブにおいて使用しようとする光ディスクの識別情報に対応する使用条件が、前記光ディスクドライブに接続される光ディスクレコーダのディスク情報格納バッファに格納されている場合、前記使用条件を利用して第１の調整処理を行うよう指示を出す工程と、
前記使用しようとする光ディスクの識別情報に対応する使用条件が、前記ディスク情報格納バッファに格納されていない場合、前記使用条件を利用せずに第２の調整処理を行うよう指示を出す工程と、を備える記録再生方法である。
【００２０】
第１１の本発明は、前記第１の調整処理または前記第２の調整処理の結果得られた使用条件を、前記ディスク情報格納バッファに格納する工程と、を備える、第１０の本発明の記録再生方法である。
【００２１】
第１２の本発明は、第１の本発明の記録再生装置の、ドライブ制御器としてコンピュータを機能させるためのプログラムである。
【００２２】
第１３の本発明は、第１２の本発明のプログラムを担持した記録媒体であって、コンピュータにより処理可能な記録媒体である。
【００２３】
第１４の本発明は、識別情報を有する光ディスクを収容し、前記光ディスクの起動、記録および再生を制御する光ディスクドライブと、
前記光ディスクドライブの制御を行うドライブ制御器と、
前記ドライブ制御器に接続され、光ディスクの識別情報に対応する使用条件を格納するディスク情報格納バッファと、を備え、
使用しようとする光ディスクの識別情報に対応する使用条件が、前記ディスク情報格納バッファに格納されている場合、前記ドライブ制御器は、前記光ディスクドライブが前記使用条件を利用して第１の調整処理を行うよう前記光ディスクドライブに指示を出し、
前記使用しようとする光ディスクの識別情報に対応する使用条件が前記ディスク情報格納バッファに格納されていない場合、前記ドライブ制御器は、前記光ディスクドライブが前記使用条件を利用せずに第２の調整処理を行うよう指示を出す、記録再生システムである。
【００２４】
第１５の本発明は、前記第１の調整処理の結果または前記第２の調整処理の結果得られた使用条件が、前記光ディスクドライブから前記ディスク情報格納バッファに格納される、第１４の本発明の記録再生システムである。
【００２５】
第１６の本発明は、電気通信回線を介してアクセスされることができ、光ディスクの識別情報とその識別情報に対応する使用条件とが格納されているディスク情報格納装置をさらに備える、第１４の本発明の記録再生システムである。
【００２６】
本発明によれば、光ディスクドライブのメモリ容量を増加することなく、起動時間の短縮化を可能にする記録再生装置、及び、記録再生方法、記録再生システム、プログラム、記録媒体を提供することができる。
【発明の効果】
【００２７】
本発明にかかる記録再生装置によれば、光ディスクドライブのメモリ容量を増加することなく、起動時間を短縮することができ、光ディスクレコーダ等として有用である。
【発明を実施するための最良の形態】
【００２８】
以下、図面を参照しながら本発明の実施の形態を説明する。
【００２９】
（実施の形態１）
実施の形態１では、装着され得る多種多様な光ディスクに対する調整時間の短縮を可能にする記録再生装置、及び、使用条件の調整方法を提供する。
【００３０】
図１は、本発明の実施の形態１の記録再生装置を利用した光ディスクレコーダシステムの構成を示す。
【００３１】
本発明の記録再生装置の一例である光ディスクレコーダ１００は、シリアルバス１１５を介して光ディスクドライブ１１０に接続されている。図２は、光ディスクレコーダ１００および光ディスクドライブ１１０の構成を示す。光ディスクレコーダ１００のバス１０１には、ディスク情報格納バッファ１０２、光ディスクドライブ１１０を制御するドライブ制御器１２３が接続されている。ディスク情報格納バッファ１０２には、光ディスクドライブ１１０に装着された光ディスク１２０に関する、本発明の使用条件の一例である記録再生条件が格納されている。ドライブ制御器１２３には、シリアルバス１１５が接続されている。
【００３２】
光ディスクレコーダ１００の構成要素として、上記以外に、各種ドライバ、映像信号、音声信号をエンコードするためのエンコーダ、エンコードされた信号をデコードするためのデコーダ、ＨＤＤ等の固体メモリ、パネル操作部、バッファメモリ、入力部、出力制御部、表示部等があるが、それらの説明はここでは省略する。
【００３３】
光ディスクドライブ１１０のバス１２２には、装着された光ディスク１２０の起動処理を制御する起動制御器１１１、調整処理を制御する記録再生条件調整器１１３、その調整処理の結果を格納する記録再生条件格納バッファ１１２、光ディスク１２０への記録、及び、光ディスク１２０の再生を制御する記録再生制御器１１４、サーボ処理器１２７、信号処理器１３０、インターフェース処理器１３２が接続されている。サーボ処理器１２７には、レーザ発光器１２８が接続され、レーザ発光器１２８には、光ピックアップ１２９が接続されている。レーザ発光器１２８は信号処理器１３０と互いに接続されている。サーボ処理器１２７には光ディスク１２０を回転させるためのディスクモータ１２６が接続されている。インターフェース処理器１３２にはシリアルバス１１５が接続されている。
【００３４】
光ディスクレコーダ１００のディスク情報格納バッファ１０２は、記録再生条件を格納する記録媒体である。例えば、半導体メモリやハードディスクなどである。
【００３５】
光ディスクドライブ１１０に装着される光ディスク１２０の種類は、Ｂｌｕ−ｒａｙ  Ｄｉｓｃ、ＤＶＤ−ＲＡＭ、ＤＶＤ−Ｒ、ＤＶＤ−ＲＯＭ、ＤＶＤ−ＲＷ、ＤＶＤ＋Ｒ、ＤＶＤ＋ＲＷなどである。
【００３６】
図３は、ディスク情報格納バッファ１０２に格納されるディスク情報リスト２００の構成例を示す。
【００３７】
ディスク情報リスト２００は、光ディスク１２０の全体のサイズなどを示すヘッダ２１０と、ＩＤリスト２１２と、初期値リスト２１４とを有する。ＩＤリスト２１２および初期値リスト２１４は、光ディスク１２０に関する情報を格納する１以上のディスク情報２２０から構成される。ここで＃ｓ、＃ｉは便宜上つけたものであり、ｓ、ｉは１以上の整数である。
【００３８】
ヘッダ２１０には、リストサイズ、光ディスクレコーダ１００のハードウェア情報およびソフトウェア情報、光ディスクドライブ１１０のハードウェア情報およびソフトウェア情報、リストの最終更新日時等のうち少なくとも１つが含まれている。
【００３９】
ディスク情報２２０は、光ディスクドライブ１１０に装着された光ディスク１２０を識別するためのディスク識別情報２２１と、装着された光ディスク１２０に関する記録再生条件２２２を有している。
【００４０】
ＩＤリスト２１２のディスク識別情報２２１には、光ディスク１２０の種別、メーカー名、型番、ディスクＩＤ等の光ディスク１２０に固有であり、個々の光ディスク１２０を識別可能なＩＤが記載され、また記録再生条件２２２には、そのＩＤに対応した光ディスク１２０の記録再生条件が記載されている。すなわち、一旦光ディスクレコーダ１００で使用された光ディスク１２０のＩＤと、使用された状態における温度、光ディスク１２０の汚れ具合とに対応した記録再生条件が記載されている。このような記録再生条件としては、例えばレーザーパワー、レーザーパルス幅、サーボ条件等が挙げられる。
【００４１】
初期値リスト２１４のディスク識別情報２２１には、光ディスク（媒体）１２０の種別、メーカー名、ディスク型番等のうち少なくとも１つが記載され、また記録再生条件２２２には、それらに対応した光ディスク１２０の記録再生条件が記載されている。すなわち、光ディスク１２０の初期状態での上記と同様の記録再生条件が記載されている。
【００４２】
図４は、実施の形態１における、光ディスク１２０が装着された時、光ディスクレコーダ１００が光ディスクドライブ１１０に行う起動処理の流れを示すフローチャートである。図５は、その場合の光ディスクレコーダ１００と光ディスクドライブ１１０との間の情報のやりとりを示す。以下、図４および図５を用いて、光ディスクレコーダ１００と光ディスクドライブ１１０との動作を説明する。
【００４３】
ドライブ制御器１２３は、光ディスクドライブ１１０にディスク情報を要請し（ステップ２９７）、光ディスクドライブ１１０が光ディスク１２０の装着を検知した後、ドライブ制御器１２３は光ディスクドライブ１１０より装着された光ディスク１２０に関するディスク識別情報を取得する（ステップ３００）。
【００４４】
ドライブ制御器１２３は、取得したディスク識別情報に基づいて、ディスク情報リスト２００を検索する（ステップ３０１）。その結果、取得したディスク識別情報に含まれるＩＤ（ディスク固有情報）がＩＤリスト２１２にある場合（ステップ３０２においてＹｅｓ）、ドライブ制御器１２３は、そのＩＤリスト２１２に記載されている記録再生条件２２２を光ディスクドライブ１１０に伝達し、光ディスクドライブ１１０は受け取った記録再生条件２２２を記録再生条件格納バッファ１１２に設定する（ステップ３０４、ステップ３００１）。光ディスクドライブ１１０において条件設定が完了する（ステップ３０９）と、ドライブ制御器１２３は、設定した記録再生条件２２２を基準パラメータとして光ディスクドライブ１１０が調整処理（以下、部分調整１という。部分調整１は、本発明の第１の部分調整処理に一例として対応する。）を行うようドライブ制御器１１０に記録再生条件調整器１１３に指示を行う（ステップ３０５）。記録再生調整器１１３は、ドライブ制御器１１０からの指示を受けて部分調整１を行う。
【００４５】
ここで、ディスク識別情報がＩＤリスト２１２にあるとは、後述のように、一旦使用された光ディスク１２０のディスク識別情報がそのときに使用された記録再生条件とともにＩＤリスト２１２に追加されている状態を言う。
【００４６】
また、部分調整１においては、使用しようとする光ディスク１２０に対して前回使用した光ディスク１２０の記録再生条件（例えば、温度、汚れ具合等）があらかじめわかっているので、ステップ３０５においてドライブ制御器１２３は、使用しようとする光ディスク１２０の記録再生条件のうち、前回使用した際のものとは変化があり得る条件のみを最適化するよう光ディスクドライブ１１０に伝達し、光ディスクドライブ１１０は伝達された記録再生条件を記録再生条件調整器１１３に指示を出す。
【００４７】
取得したディスク識別情報に対応するＩＤがＩＤリスト２１２に無い場合（ステップ３０２においてＮｏ）、取得したディスク識別情報に対応するメーカー名、型番等が初期値リスト２１４にあれば（ステップ３０６においてＹｅｓ）、ドライブ制御器１２３は、その初期値リスト２１４に記載されている記録再生条件２２２を光ディスクドライブ１１０に伝達し、光ディスクドライブ１１０は、伝達された記録再生条件２２２を記録再生条件格納バッファ１１２に設定（ステップ３０７、ステップ３００１）する。光ディスクドライブ１１０において条件設定が完了する（ステップ３０９）と、設定した記録再生条件２２２を基準パラメータとして記録再生条件調整器１１３が調整処理（以下部分調整２という。部分調整２は、本発明の第２の部分調整処理に一例として対応する。）を行うよう、ドライブ制御器１２３は、光ディスクドライブ１１０を介して記録再生条件調整器１１３に指示を行う（ステップ３０８、ステップ３１１）。
【００４８】
ここで、ディスク識別情報が初期値リスト２１４にあるとは、使用しようとする光ディスク１２０のメーカー名、型番等に一致するディスク識別情報２２１と、記録再生条件２２２とが初期値リスト２１４に存在する状態を言う。
【００４９】
また、記録再生条件とは、光ディスクドライブ１１０が光ディスク１２０に情報を記録し、または、光ディスク１２０に記録された情報を再生する際の光ディスクドライブ１１０の動作条件をいう。記録再生条件は、光ディスク１２０に照射されるレーザのパルス条件と、記録再生時の各種サーボの動作を決定するサーボ条件と、再生信号を処理するための再生信号処理条件のうち少なくとも１つを含む。また、パルス条件は、例えば、記録時に光ディスクに照射されるレーザーのパワー値を含む。或いは、パルス条件は、光ディスク上にマーク（情報の最小単位）を形成するためのレーザーの条件を含んでもよい。図３には記録や再生時のレーザーのパワー、レーザーのパルス幅、サーボ制御などに関するパラメータを示すが、この限りではない。
【００５０】
また、部分調整２においては、初期値リスト２１４から得られた光ディスク１２０の記録再生条件を利用して、使用しようとする光ディスク１２０に対して最適になるような調整処理が行われる。従ってドライブ制御器１２３は、ステップ３０８において、そのような調整処理をするよう光ディスクドライブ１１０に指示を出す。
【００５１】
一方、取得したディスク識別情報に対応するディスク情報２２０がない場合（ステップ３０６においてＮｏ）、ドライブ制御器１２３は、光ディスクドライブ１１０に対し、その光ディスク１２０に適した基準パラメータがないことを前提に調整処理（以下、全調整という。）を行うよう指示を行う（ステップ３１１）。全調整においては、光ディスク１２０の全ての記録再生条件の最適化が行われる。
【００５２】
図６、及び、図７は、光ディスク１２０が光ディスクドライブ１１０に装着された時、光ディスクドライブ１１０が光ディスクレコーダ１００の指示により行う動作の流れを示すフローチャートである。
【００５３】
まず、図６について示す。
【００５４】
光ディスクドライブ１１０が、光ディスクレコーダ１００よりディスク識別情報取得の指示を受けたとき（ステップ２９７）、起動制御部１１１は、光ディスク１２０のディスク識別を行い（ステップ４００）、取得したディスク識別情報を光ディスクレコーダ１００に送信する（ステップ３００）。
【００５５】
続いて、図７について説明する。
【００５６】
光ディスクレコーダ１００より調整処理を行うよう指示を受けたとき（図５、ステップ３１１）、光ディスクドライブ１１０は、指示の内容を記録再生条件格納バッファ１１２に格納する。そして、光ディスクドライブ１１０の記録再生条件調整器１１３は、受けた指示の内容を解析する（ステップ５００）。指示の内容が記録再生条件格納バッファ１１２に格納されている記録再生条件２２２を基準パラメータとして調整処理を行うものだった場合（ステップ５００で「部分調整１」または「部分調整２」）、記録再生条件調整器１１３は、記録再生条件格納バッファ１１２に格納された記録再生条件２２２を取得し（ステップ５０１、またはステップ５０２）、その記録再生条件２２２を基準パラメータとして調整処理を行う（ステップ５０３、またはステップ５０４）。一方、指示の内容がその光ディスク１２０に適した基準パラメータがないことを前提に調整処理を行うものだった場合（ステップ５００で「全調整」）、記録再生条件調整器１１３は、基準パラメータ無しに、あるいは、例えば記録再生条件格納バッファ１１２が一般的なものとして保有する基準パラメータを使用して調整処理を行う（ステップ５０５）。
【００５７】
この場合、装着された光ディスク１２０に対して光ディスクドライブ１１０が保有する一般的な記録再生条件を利用することが可能な場合はその記録再生条件を元に調整処理を行うが、一般的な記録再生条件が利用できない光ディスク１２０の場合や一般的な記録再生条件を元に行った調整処理に失敗した場合は、最適な記録再生条件が見つかるまで調整処理を繰り返す。
【００５８】
調整指示が完了すると（図５、ステップ３１２）、光ディスクレコーダ１００のドライブ制御器１２３は、調整結果の取得を光ディスクドライブ１１０に要請する（図５、ステップ３１３）。そして、光ディスクドライブ１１０から調整結果を受け取り（図５、ステップ３１４）、ドライブ制御器１２３は、ディスク情報を更新する（ステップ５０６）。すなわち、調整処理が、全調整、部分調整１、および部分調整２のいずれであっても、ドライブ制御器１２３は、調整処理の結果最適化した記録再生条件を光ディスクドライブ１１０より取得し（図５、ステップ３１４）、ディスク識別情報とともにＩＤリスト２１２に追加する。
【００５９】
このように、ディスク識別情報を元にディスク情報リスト２００を検索し、該当する記録再生条件２２２を調整処理に利用することで、調整処理の時間短縮を図ることが可能になり、加えて、調整処理が成功する可能性を高めることが可能になる。その結果、起動時間が短くなることが可能になる。
【００６０】
特に、一旦待機状態（例えば停止状態）になった後、光ディスク１２０が排出されることなく再び記録または再生状態に移行する場合、調整処理の結果得られた記録再生条件は、ディスク情報格納バッファ１０２のディスク情報リスト２００から即座に取得・利用され、記録再生処理までに時間時間を要することがない。また、一般に光ディスクドライブ１１０は、待機状態において省電力のために電源の供給が停止されるが、ディスク情報格納バッファ１０２への電力供給は、光ディスクレコーダ１００本体の電源の供給を停止しない限り停止されないので、待機状態においても、格納された記録再生条件を保持することができる。その結果、光ディスク１２０が排出されずに待機状態から録画再生可能状態に移行する際、光ディスクドライブ１１０の記録再生条件格納バッファ１１２に記録再生条件が格納されていなくても、記録再生制御器１１４は、記録、再生を再開するときに即座に必要な記録再生条件を使用することができる。
【００６１】
また、記録再生条件２２２を光ディスクレコーダ１００のディスク情報格納バッファ１０２に格納することで、多数の光ディスク１２０に関する記録再生条件２２２を格納することが可能になり、調整処理時間の短縮、及び、調整処理に成功する可能性の向上を図ることが可能になる。また、光ディスクドライブ１１０の記録再生条件格納バッファ１１２には、多数の光ディスク１２０に関する記録再生条件を格納する必要が無いので、メモリの容量を抑えることができる。すなわち、光ディスクドライブ１１０としては、パソコン用などの汎用品を利用することができる。
【００６２】
なお、本実施の形態においては、全調整、部分調整１、および部分調整２の調整処理のいずれの結果もディスク情報格納バッファ１０２に格納されるとしたが、例えば、全調整、または部分調整２の場合のみ、それらの結果がディスク情報格納バッファ１０２に格納されることも考えられる。
【００６３】
また、ディスク識別情報に格納されるのは、ＩＤ、メーカー名、型番に限らず、シリアル番号等他の情報であってもよい。さらに、リストは、初期値リスト２１４、ＩＤリスト２１２以外のリストであってもよい。その場合であっても、対応する記録再生条件を用いて部分調整をすれば、記録または再生を中断してからの起動時間を短縮することは可能である。
【００６４】
（実施の形態２）
実施の形態２では、光ディスクレコーダが出荷された後に発売された光ディスク１２０に対する調整時間の短縮を可能にする記録再生装置、及び、記録再生条件の調整方法を提供する。
【００６５】
図８は、本発明の実施の形態２における記録再生装置を使用した記録再生システムの構成を示す。
【００６６】
光ディスクレコーダ６００は、本発明の電気通信回線の一例であるネットワーク６４０を通じて、本発明のディスク情報格納装置の一例であるサーバ６３０と接続されている。このようなネットワーク６４０としてインターネットが挙げられるがこれに限定されない。また光ディスクレコーダ６００は、光ディスクドライブ１１０にシリアルバス１１５を介して接続されている。
【００６７】
光ディスクレコーダ６００および光ディスクドライブ１１０の構成を図９に示す。光ディスクレコーダ６００におけるネットワーク制御部６０３は、ネットワーク６４０を通して行われる通信処理を制御するものである。また、光ディスクレコーダ６００の他の構成要素は、実施の形態１のものと同じであるため、説明を割愛する。また、光ディスクドライブ１１０の構成は、実施の形態１のものと同じであるため、説明を割愛する。
【００６８】
サーバ６３０の構成を図１０に示す。サーバ６３０は、ネットワーク６４０を通して行われる通信処理を制御するネットワーク制御部６３３と、市場で発売されている光ディスクに関する記録再生条件を格納するディスク製品情報格納バッファ６３１、ディスク製品情報格納バッファ６３１への情報の入力および、ディスク製品情報格納バッファ６３１からの情報の出力を制御するための、ＣＰＵ６３２、ＲＯＭ６３４、ＲＡＭ６３５、およびフラッシュメモリ６３６、ならびにバス６３７を備える。
【００６９】
ディスク製品情報格納バッファ６３１は記録媒体である。例えば、半導体メモリやハードディスクなどである。
【００７０】
図１１は、ディスク製品情報格納バッファ６３１に格納されるディスク製品情報リスト７００の構成例を示す。
【００７１】
ディスク製品情報リスト７００は、全体のサイズ、更新日時、データバージョンなどのうち少なくとも１つを含むヘッダ７１０と、市場で発売されている光ディスクレコーダ６００に関する情報を格納する１以上のレコーダメーカー情報７２０を含む。各レコーダメーカー情報７２０は、レコーダメーカー識別情報７３０とそのメーカーの光ディスクレコーダ６００の型式に関する情報を格納する１以上のレコーダ型式情報７４０を含む。各レコーダ型式情報７４０は、レコーダ型式識別情報７５０と、市場で発売された光ディスク１２０の製品に関する情報を格納する１以上のディスク製品情報７６０を含む。レコーダ型式識別情報７５０には、レコーダソフトウェア情報、ドライブハードウェア情報、ドライブファームウェア情報、ドライブソフトウェア情報等のうち少なくとも１つが含まれる。各ディスク製品情報７６０は、光ディスク１２０（記録媒体）の種別、メーカー名等のうち少なくとも１つが格納されるディスク識別情報７７０、ならびに各光ディスク１２０の種別および／または各メーカー名に対応した、記録再生条件７８０を含む。ここで＃ｍ、＃ｌ、＃ｐは便宜上つけたものであり、各ｍ、ｌ、ｐは１以上の整数である。
【００７２】
ディスク製品情報７６０は、新たなタイプの光ディスク１２０が市場に出るたびにネットワーク６４０を介した外部操作により、またはサーバ６３０からの直接操作により更新されている。
【００７３】
図１２は、実施の形態２における、光ディスク１２０が装着された時、光ディスクレコーダ６００が光ディスクドライブ１１０に行う起動処理の流れを示すフローチャートである。図１３は、その場合の光ディスクレコーダ６００と光ディスクドライブ１１０とサーバ６３０との間の情報のやりとりを示す。以下、図１２および図１３を用いて、光ディスクレコーダ６００と光ディスクドライブ１１０との動作を説明する。
【００７４】
光ディスクドライブ１１０に光ディスク１２０が装着されたことをドライブ制御器１２３が検知した後、ドライブ制御器１２３は光ディスクドライブ１１０より、装着された光ディスク１２０に関するディスク識別情報を取得する（ステップ７９９、ステップ８００）。ここで、ステップ８０１、ステップ８０２、ステップ８０４、ステップ８０５、ステップ８０６、ステップ８０７、ステップ８０８は、図４におけるステップ３０１、ステップ３０２、ステップ３０４、ステップ３０５、ステップ３０６、ステップ３０７、ステップ３０８にそれぞれ対応するので、その説明は省略する。
【００７５】
ステップ８０６において、取得したディスク識別情報が初期値リスト２１４に対応していない場合、ドライブ制御器１２３は、まず、光ディスクドライブ１１０のメーカー名、型式、ソフトウェア情報など（以下、ドライブ情報という。）を光ディスクドライブ１１０に要請する（ステップ８１２）。そして、ドライブ制御器１２３は、ステップ８００で取得したディスク識別情報と、光ディスクレコーダ１００のレコーダーメーカー識別情報およびレコーダ型式識別情報等（以下、レコーダーメーカー情報という。）と、光ディスクドライブ１１０から取得した（ステップ８１３）ドライブ情報（光ディスクドライブ１１０のドライブハードウェア情報、ドライブファームウェア情報、およびドライブソフトウェア情報の少なくともいずれかの情報を言う。）とを、ネットワーク制御部６０３を介して、サーバ６３０に送信することにより記録再生条件７８０を要請する（ステップ８１４）。その要請を受けたサーバ６３０は、ディスク製品情報格納バッファ６３１に格納されたディスク製品情報リスト７００を検索し、受信したレコーダーメーカー情報、ドライブ情報、およびディスク識別情報に対応する記録再生条件７８０をネットワーク制御部６３３を介して光ディスクレコーダ６００に送信する。その送信された記録再生条件７８０を受信することで、光ディスクレコーダ６００は記録再生条件７８０を取得することができる（ステップ８１０）。その後、ドライブ制御器１２３は、取得した記録再生条件７８０とディスク識別情報を使って初期値リスト２１４の更新を行い、ディスク情報格納バッファ１０２に格納した後（ステップ８１１）、その記録再生条件７８０を光ディスクドライブ１１０に設定する（ステップ８０７、図１３のステップ３００１、ステップ３０９）。最後に、ドライブ制御器１２３は、設定した記録再生条件７８０を基準パラメータとして調整処理を行うよう指示を行う（ステップ８０８、図１３のステップ３１１）。その後の処理（ステップ３１２、３１３、３１４）は、図５におけるものと同一であるのでその説明を省略する。
【００７６】
この場合、光ディスクドライブ１１０が光ディスクレコーダ６００の指示により行う動作の流れは、全調整が無い点を除き、実施の形態１の場合と同様であるため説明を割愛する。
【００７７】
このように、光ディスクレコーダ６００が出荷された後に発売された未知の光ディスク１２０が光ディスクドライブ１１０に装着された場合、ネットワーク６４０で接続されたサーバ６３０から該当する記録再生条件７８０を取得し、その記録再生条件７８０を調整処理に利用することで、未知の光ディスク１２０に対しても調整処理時間を短くすることが可能になり、加えて、調整処理が成功する可能性を高めることが可能になる。その結果、起動時間の短縮を図ることが可能になる。すなわち、実施の形態１に記載の記録再生装置では、光ディスク１２０が未知の場合は、全調整をする必要があったが、本実施の形態の記録再生装置においては、全調整をする必要がないので、さらに起動時間の短縮を図ることができる。
【００７８】
なお、記録再生条件とは、記録や再生レーザーのパワー、レーザーのパルス幅、サーボ制御などに関するパラメータを示すが、この限りではない。例えば、前記パラメータのほかに、調整処理を行うためのプログラムなどを含めてもよい。
【００７９】
なお、ディスク識別情報に対応する記録再生条件がディスク情報リスト２００にない場合、サーバ６３０から取得した記録再生条件７８０を元にディスク情報リスト２００を更新するとしたがその限りではない。例えば、調整処理が完了した後、光ディスクドライブ１１０から最適化された記録再生条件を取得し、その記録再生条件を元にディスク情報リスト２００を更新するようにしても良い。
【００８０】
また、ディスク識別情報７７０は、例えば、光ディスク１２０の製品番号や製造番号などのシリアル番号などを含んでもよい。
【００８１】
また、ネットワークとはイーサネット（登録商標）のほか、ＩＥＥＥ１３９４、ＵＳＢが該当する。
【００８２】
また、このようなサーバをネットワーク上に構築することで、光ディスクレコーダ購入者に購入後の機能・性能向上をもたらすサービスを提供することが可能になる。
【００８３】
また、記録再生条件をネットワーク経由で取得するとしたがその限りではない、例えば、デジタル放送などの放送を通じて取得するとしても良い。
【００８４】
また、実施の形態２では、サーバにディスク製品情報を格納しているがその限りではない。例えば、ＳＤカードにディスク製品情報を格納し、そのＳＤカードを光ディスクレコーダに接続することで記録再生条件を取得するようにしてもよいし、ＤＶＤ−ＲＯＭのような光ディスクに格納しておき、そのディスクが装着されたときに取得するようにしてもよい。
【００８５】
また、実施の形態２では、ネットワークに接続されたサーバに対して記録再生条件７８０を要求しているがその限りではない。例えば、光ディスクレコーダ同士をネットワークで接続し、装着された光ディスクに該当する記録再生条件を相手の光ディスクレコーダに求めるようにしても良い。その場合、本発明のディスク情報格納装置は、別の記録再生装置に対応する。
【００８６】
また、ネットワーク制御部６０３は無い場合も考えられる。すなわち、本発明のドライブ制御器が電気通信回線を介して本発明のディスク情報格納装置にアクセスすることができれば上記と同様の効果を得ることができる。
【００８７】
なお、以上までの説明において、本発明の第１の調整処理は、一例として図４に示す場合はステップ３０５またはステップ３０８に対応し、図７に示す場合は、ステップ５０３またはステップ５０４に対応し、図１２に示す場合はステップ８０８またはステップ８０５に対応し、本発明の第２の調整処理は、一例として、図４に示す場合は、ステップ３１０に対応し、図７に示す場合は、ステップ５０５に対応する。
【００８８】
また、以上までの説明においては、部分調整１、２においても、光ディスク１２０の記録再生条件を最適化するとしたが、例えば、レーザーのパルス幅のように温度で特性が変わりにくいパラメータは「部分調整１」または「部分調整２」と指示された場合は、設定された記録再生条件をそのまま利用し、再調整しないようにすることで、調整処理時間の短縮を図ってもよい。
【００８９】
また、以上までの説明において、ディスク情報リスト２００に格納する記録再生条件２２２の中にレーザーパワーなど温度変化により特性が変わるパラメータがある場合、光ディスク１２０が装着された温度に応じて最適な記録再生条件を設定することを可能にするため、ディスク情報２２０に格納する記録再生条件２２２を一定温度ごと、例えば、０℃から６０℃までの１０℃単位ごとの記録再生条件２２２をリストとして保持しても良い。この場合、ドライブ制御器１２３がディスク識別情報を取得する際に光ディスクドライブ１１０の温度を合わせて取得し、該当する記録再生条件を設定してもよい。或いは、ディスク識別情報に対応する全ての温度の記録再生条件２２２を光ディスクドライブ１１０の記録再生条件格納バッファ１１２に設定し、記録再生条件調整器１１３が調整処理を行うときの光ディスク１２０または光ディスクドライブ１１０の温度に応じて適切な記録再生条件を利用する、としても良い。
【００９０】
また、以上までの説明において、本発明の記録再生装置は光ディスクレコーダ１００、６００であるとしたがその限りではない。光ディスク１２０に対して記録再生する装置であればどのような装置であってもよい。
【００９１】
また、以上までの説明においては、光ディスクレコーダ１００、６００と、光ディスクドライブ１１０とは、別々の構成として説明しているが、例えば、１つの筐体に入っていてもよい。
【００９２】
また、以上までの説明においては、装着された光ディスク１２０のディスク識別情報に対応する記録再生条件がディスク情報リスト２００またはディスク製品情報リスト７００にある場合、その記録再生条件を使って調整処理を行うとしたがその限りではない。例えば、実質上調整処理なしに、その記録再生条件を使って記録再生を行うとしてもよい。その場合、本発明の第１の調整処理は、実質上調整処理しないことを意味する。
【００９３】
また、以上までの説明においては、使用しようとする光ディスク１２０の状態に合わせて記録再生条件を最適化する処理を記載しているが、その限りではない。例えば、光ディスクドライブ１１０の光ピックアップ１２９に埃がのるなどの理由で特性が変わる場合を考慮して、調整処理が完了する毎に記録再生条件を取得し、ディスク情報リスト２００を更新するようにしても良い。そのような場合も、上記と同様の効果を得ることができる。
【００９４】
また、取得したディスク識別情報をディスク情報格納バッファとは別のバッファなどに格納しておくことにより、光ディスク１２０が装着されたまま再度起動処理を行う場合、光ディスクドライブ１１０よりディスク識別情報を取得することなくバッファに格納されたディスク識別情報を利用するようにしてもよい。
【００９５】
また、調整処理を行う場合、光ディスクドライブ１１０は光ディスクレコーダ１００より受けた指示に従って記録再生条件を利用するかどうかを判断するとしたがその限りではない。例えば、光ディスクドライブ１１０に記録再生条件の設定がされているかどうかを光ディスクドライブ１１０が自ら判断し、設定されていれば調整処理に利用するようにしてもよい。
【００９６】
また、以上までの説明において、ディスク識別情報２２１、ディスク識別情報７７０に格納する情報は光ディスク１２０に関する情報だけでなく、上記のように光ディスクレコーダ６００に内蔵する光ディスクドライブ１１０に関する情報、例えば、メーカの情報、製品に関する情報、シリアル番号などを格納するようにしてもよい。これにより、光ディスクドライブ１１０の個体差に伴う記録再生条件の違いを吸収することが可能になる。
【００９７】
また、光ディスクレコーダ１００、６００、および光ディスクドライブ１１０を備える、記録再生システムも本発明の範疇である。
【００９８】
また、以上までの説明において、本発明の光ディスクドライブは、パソコン用の光ディスクドライブ等の汎用品を想定して記載しているが、これに限定されるものではない。
【００９９】
また、本発明は、上述した本発明のドライブ制御器の全部または一部の手段または装置の機能をコンピュータにより実行させるためのプログラムであって、コンピュータと協働して動作するプログラムである。
【０１００】
また、本発明は、上述した本発明のドライブ制御器のためのプログラムを担持した記録媒体であり、コンピュータにより読み取り可能且つ、読み取られた前記プログラムが前記コンピュータと協働して前記機能を実行する記録媒体である。
【０１０１】
また、本発明の一部の手段または装置とは、それらの複数の手段または装置のうちの、幾つかの手段または装置を意味し、あるいは、一つの手段または装置のうちの、一部の機能または一部の動作を意味するものである。
【０１０２】
また、本発明の一部の手段または装置とは、それらの複数の手段または装置のうちの、幾つかの手段または装置を意味し、あるいは、一つの手段または装置のうちの、一部の手段のまたは装置を意味し、あるいは、一つの手段のうちの一部の機能を意味するものである。
【０１０３】
また、本発明のプログラムを記録した、コンピュータにより読み取り可能な記録媒体も本発明に含まれる。
【０１０４】
また、本発明のプログラムの一利用形態は、コンピュータにより読み取り可能な記録媒体に記録され、コンピュータと協働して動作する態様であってもよい。
【０１０５】
また、本発明のプログラムの一利用形態は、伝送媒体中を伝送し、コンピュータにより読み取られ、コンピュータと協働して動作する態様であってもよい。
【０１０６】
また、記録媒体としては、ＲＯＭ等が含まれ、伝送媒体としては、インターネット等の伝送媒体、光、電波、音波等が含まれる。
【０１０７】
また、上述した本発明のコンピュータは、ＣＰＵ等の純然たるハードウェアに限らず、ファームウェアや、ＯＳ、更に周辺機器を含むものであってもよい。
【０１０８】
また、以上説明したように、本発明の構成は、ソフトウェア的に実現してもよいし、ハードウェア的に実現してもよい。
【産業上の利用可能性】
【０１０９】
本発明にかかる記録再生装置、記録再生方法、記録再生システム、そのプログラム、および記録媒体は、光ディスクドライブのメモリ容量を増加することなく、起動時間を短縮することができ、光ディスクレコーダ等として有用という効果を有し、光ディスクに記録再生を行う記録再生装置、記録再生方法、記録再生システム、そのプログラム、および記録媒体等に有用である。
【図面の簡単な説明】
【０１１０】
【図１】本発明の実施の形態１の記録再生装置を含む記録再生システムの構成図である。
【図２】本発明の実施の形態１の記録再生装置の構成図である。
【図３】本発明の実施の形態１の記録再生装置のディスク情報格納バッファに格納されるディスク情報リストのデータ構成図である。
【図４】本発明の実施の形態１の記録再生装置の動作を示すフローチャートである。
【図５】本発明の実施の形態１の記録再生装置と光ディスクドライブの動作を示す図である。
【図６】本発明の実施の形態１の記録再生装置に接続される光ディスクドライブの動作を示すフローチャートである。
【図７】本発明の実施の形態１の記録再生装置に接続される光ディスクドライブの動作を示すフローチャートである。
【図８】本発明の実施の形態２の記録再生装置を含む記録再生システムの構成図である。
【図９】本発明の実施の形態２の記録再生装置の構成図である。
【図１０】本発明の実施の形態２の記録再生装置に接続されるサーバの構成図である。
【図１１】本発明の実施の形態２の記録再生装置に接続されるサーバのディスク製品情報格納バッファに格納されるディスク製品情報リストのデータ構成図である。
【図１２】本発明の実施の形態２の記録再生装置の動作を示すフローチャートである。
【図１３】本発明の実施の形態２の記録再生装置と光ディスクドライブとサーバとの動作を示す図である。
【図１４】従来技術の記録再生装置を含む記録再生システムの構成図である。
【符号の説明】
【０１１１】
１００  光ディスクレコーダ
１２３  ドライブ制御器
１０２  ディスク情報格納バッファ
１１０  光ディスクドライブ
１１１  起動制御部
１１２  記録再生条件格納バッファ
１１３  記録再生条件調整処理器
１１４  記録再生制御器
１２０  光ディスク
２００  ディスク情報リスト
２１０  ヘッダ
２２０  ディスク情報
２２１  ディスク識別情報
２２２  記録再生条件
６００  光ディスクレコーダ
６０３  ネットワーク制御部
６３０  サーバ
６３１  ディスク製品情報格納バッファ
６３３  ネットワーク制御部
６４０  ネットワーク
７００  ディスク製品情報リスト
７１０  ヘッダ
７６０  ディスク製品情報
７７０  ディスク識別情報
７８０  記録再生条件
【国際調査報告】
2004109665.tif 000017
2004109665.tif 000018
2004109665.tif 000019
2004109665.tif 000020
2004109665.tif 000021
2004109665.tif 000022
2004109665.tif 000023
2004109665.tif 000024